(57)【要約】  ＤＶＤ用にオーサリングされたコンテンツを複数まとめて大容量の情報記録媒体に簡単に記録でき、記録されたコンテンツを再生するときのデータレートを高くできる装置及び方法であって、ディスクイメージファイルからソースパケットを作り、これを集めて配列ユニット３２０とし、これを集めてＥＣＣクラスタとし、ＤＶＤのセクタをまとめてセクタグループとして所定数のソースパケットに対応付けて格納し、これに制御パケットを付加して変換単位とし、これを集めて整数個の配列ユニット３２０に対応付け、制御パケットに、ＤＶＤのセクタグループの先頭セクタを格納するクラスタ番号を格納し、ファイルシステム領域の開始部が配列ユニット３２０の先頭と、ＥＣＣクラスタの先頭に一致するようにソースパケットを対応付け、変換単位の区切りとＥＣＣクラスタの区切りが一致する長さを単位としてディスクイメージファイルを記録する。
2008126493.tif 000002
【特許請求の範囲】
【請求項１】
ＤＶＤ規格に準拠した領域であるリードイン領域、リードアウト領域、及び、ファイルシステム領域とユーザファイル領域とからなるデータ領域を有するＤＶＤ用にオーサリングされたコンテンツのデータを受信して記録する情報記録装置であって、
受信されたＤＶＤ用にオーサリングされた前記コンテンツのデータを記録するハードディスクと、
前記ハードディスクに記録されたＤＶＤ用にオーサリングされた前記コンテンツのデータをＤＶＤ又はＤＶＤよりも記録容量の大きい大容量光ディスクに記録する光ディスク装置と、
前記情報記録装置全体の動作を制御する制御手段とを備え、
受信されるＤＶＤ用にオーサリングされた前記コンテンツのデータは、ＤＶＤのセクタ上でメインデータとして扱われるデータと前記セクタのヘッダ情報とを含むディスクイメージファイルであり、
前記制御手段は、
前記ディスクイメージファイルをトランスポートストリームのパケットに分割し、
分割された前記トランスポートストリームの各パケットに拡張パケットヘッダを付加して前記大容量光ディスクのデータの単位であるソースパケットとし、
前記ソースパケットを所定数集めて配列ユニットとし、
前記配列ユニットを所定数集めて前記大容量光ディスクの誤り訂正クラスタとし、
前記ＤＶＤの前記セクタを所定数まとめてセクタグループとして所定数の前記ソースパケットに対応付けて格納し、
前記セクタグループに対応する所定数の前記ソースパケットに制御パケットを付加して前記セクタグループと前記ソースパケットの変換単位とし、
前記変換単位を所定数集めて整数個の配列ユニットに対応付け、
前記制御パケットに、ＤＶＤのセクタグループの先頭セクタを格納する前記大容量光ディスクの誤り訂正クラスタのクラスタ番号を格納し、
ＤＶＤのファイルシステム領域の開始部を含むディスクイメージファイルでは、ファイルシステム領域の開始部が前記配列ユニットの先頭、かつ、前記誤り訂正クラスタの先頭に一致するようにソースパケットを対応付け、
前記変換単位の区切りと前記誤り訂正クラスタの区切りが一致する長さを単位としてディスクイメージファイルを記録し、又は、前記ディスクイメージファイルの末尾が、前記変換単位及び誤り訂正クラスタの一致した区切りで完結するよう必要に応じてデータをパディングする
ことを特徴とする情報記録装置。
【請求項２】
ＤＶＤの前記リードイン領域、前記ファイルシステム領域、前記ユーザファイル領域、及び前記リードアウト領域のそれぞれに記録されるべきデータは、個別のディスクイメージファイルとして、又は、所定のものをひとつにまとめたディスクイメージファイルとして記録することを特徴とする請求の範囲１に記載の情報記録装置。
【請求項３】
ＤＶＤ用にオーサリングされたコンテンツのデータが、情報記録層として第１記録層と第２記録層とを有する２層ＤＶＤのデータである場合は、第２記録層のデータ領域の開始部が前記配列ユニットの先頭、かつ、前記誤り訂正クラスタの先頭に一致するようにソースパケットを対応付けることを特徴とする請求の範囲１又は２に記載の情報記録装置。
【請求項４】
ＤＶＤ用にオーサリングされた前記コンテンツのディスクイメージファイルに、ＤＶＤ用の所定の著作権保護方式を適用したデータを含めることを特徴とする請求の範囲１乃至３のいずれか１項に記載の情報記録装置。
【請求項５】
ＤＶＤ用にオーサリングされた前記コンテンツのディスクイメージファイルのデータに、大容量光ディスク用の所定の著作権保護方式を適用して保護する機能を持たせたことを特徴とする請求の範囲１乃至３のいずれか１項に記載の情報記録装置。
【請求項６】
ＤＶＤ用にオーサリングされた前記コンテンツのディスクイメージファイルのデータに、のうちＤＶＤのリードイン領域に相当する部分のデータに対して、ユーザからのアクセスを無効にするための識別情報を前記制御パケットに記録することを特徴とする請求の範囲１乃至３のいずれか１項に記載の情報記録装置。
【請求項７】
コンテンツサーバから、ＤＶＤ規格に準拠した領域であるリードイン領域、リードアウト領域、及び、ファイルシステム領域とユーザファイル領域とからなるデータ領域を有するＤＶＤ用にオーサリングされたコンテンツのデータを受信して記録する情報記録方法であって、
前記情報記録方法は、受信されたＤＶＤ用にオーサリングされた前記コンテンツのデータを記録するハードディスクと、前記ハードディスクに記録されたＤＶＤ用にオーサリングされた前記コンテンツのデータをＤＶＤ又はＤＶＤよりも記録容量の大きい大容量光ディスクに記録する光ディスク装置とを備えた情報記録装置を使用し、
前記コンテンツサーバが、ＤＶＤ用にオーサリングされた前記コンテンツのデータを、ＤＶＤのセクタ上でメインデータとして扱われるデータと前記セクタのヘッダ情報とを含むディスクイメージファイルとして送信するステップを有し、
前記ディスクイメージファイルをトランスポートストリームのパケットに分割するステップと、
分割された前記トランスポートストリームの各パケットに拡張パケットヘッダを付加して前記大容量光ディスクのデータの単位であるソースパケットとするステップと、
前記ソースパケットを所定数集めて配列ユニットとするステップと、
前記配列ユニットを所定数集めて前記大容量光ディスクの誤り訂正クラスタとするステップと、
前記ＤＶＤの前記セクタを所定数まとめてセクタグループとして所定数の前記ソースパケットに対応付けて格納するステップと、
前記セクタグループに対応する所定数の前記ソースパケットに制御パケットを付加して前記セクタグループと前記ソースパケットの変換単位とするステップと、
前記変換単位を所定数集めて整数個の配列ユニットに対応付けるステップと、
前記制御パケットに、ＤＶＤのセクタグループの先頭セクタを格納する前記大容量光ディスクの誤り訂正クラスタのクラスタ番号を格納するステップとを有し、
前記情報記録媒体は、
ＤＶＤのファイルシステム領域の開始部を含むディスクイメージファイルでは、ファイルシステム領域の開始部が前記配列ユニットの先頭、かつ、前記誤り訂正クラスタの先頭に一致するようにソースパケットを対応付け、
前記変換単位の区切りと前記誤り訂正クラスタの区切りが一致する長さを単位としてディスクイメージファイルを記録し、又は、前記ディスクイメージファイルの末尾が、前記変換単位及び誤り訂正クラスタの一致した区切りで完結するよう必要に応じてデータをパディングする
ことを特徴とする情報記録方法。
【請求項８】
ＤＶＤの前記リードイン領域、前記ファイルシステム領域、前記ユーザファイル領域、及び前記リードアウト領域のそれぞれに記録されるべきデータは、個別のディスクイメージファイルとして、又は、所定のものをひとつにまとめたディスクイメージファイルとして記録することを特徴とする請求の範囲７に記載の情報記録方法。
【請求項９】
ＤＶＤ用にオーサリングされたコンテンツのデータが、情報記録層として第１記録層と第２記録層とを有する２層ＤＶＤのデータである場合は、第２記録層のデータ領域の開始部が前記配列ユニットの先頭、かつ、前記誤り訂正クラスタの先頭に一致するようにソースパケットを対応付けることを特徴とする請求の範囲７又は８に記載の情報記録方法。
【請求項１０】
ＤＶＤ用にオーサリングされた前記コンテンツのディスクイメージファイルに、ＤＶＤ用の所定の著作権保護方式を適用したデータを含めることを特徴とする請求の範囲７乃至９のいずれか１項に記載の情報記録方法。
【請求項１１】
ＤＶＤ用にオーサリングされた前記コンテンツのディスクイメージファイルのデータに、大容量光ディスク用の所定の著作権保護方式を適用して保護する機能を持たせたことを特徴とする請求の範囲７乃至９のいずれか１項に記載の情報記録方法。
【請求項１２】
ＤＶＤ用にオーサリングされた前記コンテンツのディスクイメージファイルのデータに、のうちＤＶＤのリードイン領域に相当する部分のデータに対して、ユーザからのアクセスを無効にするための識別情報を前記制御パケットに記録することを特徴とする請求の範囲７乃至９のいずれか１項に記載の情報記録方法。
【請求項１３】
請求の範囲１乃至６に記載の情報記録装置及び請求の範囲７乃至１２に記載の情報記録方法のいずれか一つを用いてＤＶＤ用にオーサリングされたコンテンツのデータを、ディスクイメージファイルとして記録されることを特徴とする情報記録媒体。
【請求項１４】
ＤＶＤ用にオーサリングされたコンテンツのディスクイメージファイルを記録した請求の範囲１３に記載の情報記録媒体を再生する装置であって、
前記情報記録媒体からＤＶＤを再生時に、再生しているセクタグループの先頭セクタのセクタ番号を取得し、
前記先頭セクタを格納した前記大容量光ディスクの誤り訂正クラスタのクラスタ番号を前記セクタグループの制御パケットから取得し、
前記先頭セクタと次にアクセスするべきセクタのセクタ番号の差と、前記取得したクラスタ番号とにより、次にアクセスするべき誤り訂正クラスタのクラスタ番号を算出する
ことを特徴とする情報再生装置。
【請求項１５】
前記制御パケットを解析し、前記制御パケットの中に、前記ディスクイメージファイルの前記部分のセクタが、ＤＶＤのリードイン領域であることを示す識別情報を検出したとき、ユーザからの不正アクセスを無効にすることを特徴とする請求の範囲１４に記載の情報再生装置。
【請求項１６】
ＤＶＤ用にオーサリングされたコンテンツのディスクイメージファイルを記録した請求の範囲１３に記載の情報記録媒体を再生する方法であって、
ＤＶＤを再生時に、再生しているセクタグループの先頭セクタのセクタ番号を取得するステップと、
前記先頭セクタを格納した前記大容量光ディスクの誤り訂正クラスタのクラスタ番号を前記セクタグループの制御パケットから取得するステップと
を備え、
前記先頭セクタと次にアクセスするべきセクタのセクタ番号の差と、前記取得したクラスタ番号とにより、次にアクセスするべき誤り訂正クラスタのクラスタ番号を算出する
ことを特徴とする情報再生方法。
【請求項１７】
前記制御パケットを解析し、前記制御パケットの中に、前記ディスクイメージファイルの前記部分のセクタが、ＤＶＤのリードイン領域であることを示す識別情報を検出したとき、ユーザからの不正アクセスを無効にするステップをさらに備えたことを特徴とする請求の範囲１６記載の情報再生方法。
【請求項１８】
映像信号を含むコンテンツデータを圧縮符号化してプログラムストリームに変換する手段と、
前記プログラムストリームを、記録媒体のセクタに格納する単位である一定長のパックに分割する手段と、
前記パックに分割されたデータを、所定数のセクタで誤り訂正ブロックを構成して誤り訂正符号化する手段と、
記録媒体上のトラックヘの記録順にしたがって配列した、前記誤り訂正符号化されたデータを、トランスポートストリームのパケットに格納する単位に区切る手段と、
パケット単位で前記トランスポートストリームを伝送する手段と
を有し、
前記誤り訂正符号化されたデータを、トランスポートストリームのパケットに格納する単位に区切る前記手段は、前記トランスポートストリームのパケットに格納する単位を、誤り訂正ブロックを構成して誤り訂正符号化するときの誤り訂正符号語とする
ことを特徴とする情報伝送装置。
【請求項１９】
映像信号を含むコンテンツデータを圧縮符号化してプログラムストリームに変換する手段と、
前記プログラムストリームを、記録媒体のセクタに格納する単位である一定長のパックに分割する手段と、
前記パックに分割されたデータを、所定数のセクタで誤り訂正ブロックを構成して誤り訂正符号化する手段と、
記録媒体上のトラックヘの記録順にしたがって配列した、前記誤り訂正符号化されたデータを、トランスポートストリームのパケットに格納する単位に区切る手段と、
パケット単位で伝送される前記トランスポートストリームのデータを記録媒体に記録する手段と
を有し、
前記記録する手段は、所定数の連続した前記パケットを変換単位として整数個の誤り訂正クラスタを構成し、前記変換単位の区切りと前記誤り訂正クラスタの区切りが一致する長さを単位として前記トランスポートストリームのデータを記録し、又は、前記トランスポートストリームのデータの末尾が、前記変換単位及び前記誤り訂正クラスタの一致した区切りで完結するよう必要に応じてデータをパディングする
ことを特徴とする情報記録装置。
【請求項２０】
映像信号を含むコンテンツデータを圧縮符号化してプログラムストリームに変換するステップと、
前記プログラムストリームを、記録媒体のセクタに格納する単位である一定長のパックに分割するステップと、
前記パックに分割されたデータを、所定数のセクタで誤り訂正ブロックを構成して誤り訂正符号化するステップと、
記録媒体上のトラックヘの記録順にしたがって配列した、前記誤り訂正符号化されたデータを、トランスポートストリームのパケットに格納する単位に区切るステップと、
パケット単位で前記トランスポートストリームを伝送するステップと
を有し、
前記誤り訂正符号化されたデータを、トランスポートストリームのパケットに格納する単位に区切る前記ステップにおいて、前記トランスポートストリームの前記パケットに格納する単位を、誤り訂正ブロックを構成して誤り訂正符号化するときの誤り訂正符号語とする
ことを特徴とする情報伝送方法。
【請求項２１】
映像信号を含むコンテンツデータを圧縮符号化してプログラムストリームに変換するステップと、
前記プログラムストリームを、記録媒体のセクタに格納する単位である一定長のパックに分割するステップと、
前記パックに分割されたデータを、所定数のセクタで誤り訂正ブロックを構成して誤り訂正符号化するステップと、
記録媒体上のトラックヘの記録順にしたがって配列した、前記誤り訂正符号化されたデータを、トランスポートストリームのパケットに格納する単位に区切るステップと、
パケット単位で前記トランスポートストリームを伝送されるデータを記録媒体に記録するステップと
を有し、
前記記録するステップにおいて、所定数の連続した前記パケットを変換単位として整数個の誤り訂正クラスタを構成し、前記変換単位の区切りと前記誤り訂正クラスタの区切りが一致する長さを単位として前記トランスポートストリームのデータを記録し、又は、前記トランスポートストリームのデータの末尾が、前記変換単位及び前記誤り訂正クラスタの一致した区切りで完結するよう必要に応じてデータをパディングする
ことを特徴とする情報記録方法。
【発明の詳細な説明】
【技術分野】
【０００１】
本発明は、ＤＶＤパッケージメディア用コンテンツ（ＤＶＤ用にオーサリングされたコンテンツ）を複数まとめて大容量の情報記録媒体に記録する情報記録装置及び情報記録方法、この情報記録方法によってコンテンツが記録された情報記録媒体、この情報記録媒体から情報を再生する情報再生装置及び情報再生方法、並びに、ＤＶＤパッケージメディア用コンテンツを伝送する情報伝送装置及び情報伝送方法に関する。
【背景技術】
【０００２】
映像用ストレージ製品として、現行のＤＶＤよりも大容量であり、長時間の高画質映像を収録することができるブルーレイ（Ｂｌｕ−ｒａｙ）ディスクやＨＤＤＶＤなどの次世代の大容量光ディスクがあり、このような大容量光ディスクを用いることによってパッケージメディアによる再生画像の高画質化が実現されている。また、従来パッケージ販売されてきたＤＶＤコンテンツをダウンロード配信による販売へと販売形態を移行しようとする動きもある。当面は、次世代の大容量光ディスク用のコンテンツは、データ量が膨大であるため、パッケージメディアによる販売が主になり、現行のＤＶＤ用にオーサリングされたコンテンツは、ダウンロード配信による販売が増加すると予想される。【０００３】
ダウンロード配信による販売が増加した場合には、ＤＶＤ用にオーサリングされたコンテンツを複数まとめて次世代の記録型大容量光ディスクに記録することが重要になる。このような記録方法としては、ＤＶＤ用にオーサリングされた複数のコンテンツをユーザ側の情報記録装置にダウンロードし、ユーザ側で記録型大容量光ディスクに記録する方法と、コンテンツプロバイダがＤＶＤ用にオーサリングされた複数のコンテンツが入った大容量光ディスクパッケージを作成してユーザに供給する方法が考えられる。【０００４】
ところで、現行のＤＶＤのフォーマットとしては、国際標準であるＩＳＯ／ＩＥＣ規格やその元になったＥＣＭＡ規格が知られている（例えば、非特許文献１参照）。また、映像記録に関して、ナビゲーションデータを備えた映像データを記録媒体に記録し、記録媒体から再生する技術（例えば、特許文献１参照）や、コンテンツの著作権管理技術（例えば、特許文献２参照）が知られている。さらに、次世代の大容量光ディスク向けのディスクのフォーマット技術として、従来、誤り訂正クラスタの構成方法（例えば、特許文献３参照）や、ディスクへ映像ファイルを収録するときトランスポートストリームを効率よく記録再生する技術（例えば、特許文献４参照）や、トランスポートストリームとプログラムストリームを関係式で関連づけて高速に変換する技術（例えば、特許文献５参照）が知られている。さらにまた、ネットワークを経由して映像コンテンツをダウンロード配信する技術として、コンテンツサーバがダウンロード制御ファイルを受信側に送ってダウンロード処理する技術（例えば、特許文献６参照）や、コンテンツの著作権管理技術（例えば、特許文献７参照）が知られている。【０００５】
【非特許文献１】ＩＳＯ／ＩＥＣ  １６４４８、ＥＣＭＡ−２６７
【特許文献１】特開平０８−２７３３０４号公報
【特許文献２】ＷＯ９７／１４１４７号公報
【特許文献３】特開２００３−１２３３９２号公報
【特許文献４】特開２００１−１６７５２８号公報
【特許文献５】特表２００５−５１３９３６号公報
【特許文献６】特開２００５−１５９７０３号公報
【特許文献７】特開２００５−０９２８３０号公報
【発明の開示】
【発明が解決しようとする課題】
【０００６】
しかしながら、上記従来技術では、ＤＶＤ用にオーサリングされたコンテンツを記録型大容量光ディスクに記録するときに、ＤＶＤ用にオーサリングされたコンテンツを大容量光ディスク用に規定されたコンテンツのフォーマットに準拠するようにオーサリングし直す必要がある。このため、上記従来技術では、現有の膨大なＤＶＤコンテンツの資産を簡単に利用することが困難であるという問題がある。【０００７】
仮に、ユーザ側の情報記録装置にフォーマット変換や再オーサリングの機能を持たせて、ダウンロード配信された、ＤＶＤ用にオーサリングされたコンテンツをユーザ側で大容量光ディスクに記録しようとすると、ユーザ側の情報記録装置が高価になりユーザの金銭的な負担が増大し、また、著作権保護機能の観点からはリスクが増大するという問題が生じる。【０００８】
このような問題を回避するために、ＤＶＤ用にオーサリングされたコンテンツをコンテンツサーバ側で大容量光ディスク用に再オーサリングしておき、ユーザが希望する光ディスクのフォーマットに合わせたコンテンツデータを配信することも考えられる。しかし、この場合には、コンテンツサーバ側による再オーサリングのためのコストが嵩むという問題があり、また、ユーザは、記録型大容量光ディスクを使用するのか、現行の記録型ＤＶＤを使用するのかを予め決めなければならず、１枚の記録型大容量光ディスクに収録するコンテンツをユーザ側で自由に組み合わせて記録することもできず、ユーザにとって不便であるという問題が生じる。【０００９】
そこで、本発明は、上記従来技術の課題を解決するためになされたものであり、その目的は、ＤＶＤ用にオーサリングされたコンテンツを複数まとめて大容量の情報記録媒体に簡単に記録でき、かつ、記録されたコンテンツを再生するときのデータレートを高くすることができる情報記録装置及び情報記録方法、この情報記録方法によってコンテンツが記録された情報記録媒体、このような情報記録媒体から情報を再生する情報再生装置及び情報再生方法、並びに、ＤＶＤ用にオーサリングされたコンテンツを複数まとめて大容量の情報記録媒体に簡単に記録できるように伝送する情報伝送装置及び情報伝送方法を提供することにある。
【課題を解決するための手段】
【００１０】
本発明の情報記録装置は、ＤＶＤ規格に準拠した領域であるリードイン領域、リードアウト領域、及び、ファイルシステム領域とユーザファイル領域とからなるデータ領域を有するＤＶＤ用にオーサリングされたコンテンツのデータを受信して記録する情報記録装置であって、受信されたＤＶＤ用にオーサリングされた前記コンテンツのデータを記録するハードディスクと、前記ハードディスクに記録されたＤＶＤ用にオーサリングされた前記コンテンツのデータをＤＶＤ又はＤＶＤよりも記録容量の大きい大容量光ディスクに記録する光ディスク装置と、前記情報記録装置全体の動作を制御する制御手段とを備え、受信されるＤＶＤ用にオーサリングされた前記コンテンツのデータは、ＤＶＤのセクタ上でメインデータとして扱われるデータと前記セクタのヘッダ情報とを含むディスクイメージファイルであり、前記制御手段は、前記ディスクイメージファイルをトランスポートストリームのパケットに分割し、分割された前記トランスポートストリームの各パケットに拡張パケットヘッダを付加して前記大容量光ディスクのデータの単位であるソースパケットとし、前記ソースパケットを所定数集めて配列ユニットとし、前記配列ユニットを所定数集めて前記大容量光ディスクの誤り訂正クラスタとし、前記ＤＶＤの前記セクタを所定数まとめてセクタグループとして所定数の前記ソースパケットに対応付けて格納し、前記セクタグループに対応する所定数の前記ソースパケットに制御パケットを付加して前記セクタグループと前記ソースパケットの変換単位とし、前記変換単位を所定数集めて整数個の配列ユニットに対応付け、前記制御パケットに、ＤＶＤのセクタグループの先頭セクタを格納する前記大容量光ディスクの誤り訂正クラスタのクラスタ番号を格納し、ＤＶＤのファイルシステム領域の開始部を含むディスクイメージファイルでは、ファイルシステム領域の開始部が前記配列ユニットの先頭、かつ、前記誤り訂正クラスタの先頭に一致するようにソースパケットを対応付け、前記変換単位の区切りと前記誤り訂正クラスタの区切りが一致する長さを単位としてディスクイメージファイルを記録し、又は、前記ディスクイメージファイルの末尾が、前記変換単位及び誤り訂正クラスタの一致した区切りで完結するよう必要に応じてデータをパディングすることを特徴としている。【００１１】
また、本発明の情報記録方法は、コンテンツサーバから、ＤＶＤ規格に準拠した領域であるリードイン領域、リードアウト領域、及び、ファイルシステム領域とユーザファイル領域とからなるデータ領域を有するＤＶＤ用にオーサリングされたコンテンツのデータを受信して記録する情報記録方法であって、前記情報記録方法は、受信されたＤＶＤ用にオーサリングされた前記コンテンツのデータを記録するハードディスクと、前記ハードディスクに記録されたＤＶＤ用にオーサリングされた前記コンテンツのデータをＤＶＤ又はＤＶＤよりも記録容量の大きい大容量光ディスクに記録する光ディスク装置とを備えた情報記録装置を使用し、前記コンテンツサーバが、ＤＶＤ用にオーサリングされた前記コンテンツのデータを、ＤＶＤのセクタ上でメインデータとして扱われるデータと前記セクタのヘッダ情報とを含むディスクイメージファイルとして送信するステップを有し、前記ディスクイメージファイルをトランスポートストリームのパケットに分割するステップと、分割された前記トランスポートストリームの各パケットに拡張パケットヘッダを付加して前記大容量光ディスクのデータの単位であるソースパケットとするステップと、前記ソースパケットを所定数集めて配列ユニットとするステップと、前記配列ユニットを所定数集めて前記大容量光ディスクの誤り訂正クラスタとするステップと、前記ＤＶＤの前記セクタを所定数まとめてセクタグループとして所定数の前記ソースパケットに対応付けて格納するステップと、前記セクタグループに対応する所定数の前記ソースパケットに制御パケットを付加して前記セクタグループと前記ソースパケットの変換単位とするステップと、前記変換単位を所定数集めて整数個の配列ユニットに対応付けるステップと、前記制御パケットに、ＤＶＤのセクタグループの先頭セクタを格納する前記大容量光ディスクの誤り訂正クラスタのクラスタ番号を格納するステップとを有し、前記情報記録媒体は、ＤＶＤのファイルシステム領域の開始部を含むディスクイメージファイルでは、ファイルシステム領域の開始部が前記配列ユニットの先頭、かつ、前記誤り訂正クラスタの先頭に一致するようにソースパケットを対応付け、前記変換単位の区切りと前記誤り訂正クラスタの区切りが一致する長さを単位としてディスクイメージファイルを記録し、又は、前記ディスクイメージファイルの末尾が、前記変換単位及び誤り訂正クラスタの一致した区切りで完結するよう必要に応じてデータをパディングすることを特徴としている。【００１２】
また、本発明の情報記録媒体は、前記情報記録装置又は前記情報記録方法のいずれか一つを用いてＤＶＤ用にオーサリングされたコンテンツのデータを、ディスクイメージファイルとして記録されることを特徴としている。【００１３】
また、本発明の情報再生装置は、ＤＶＤ用にオーサリングされたコンテンツのディスクイメージファイルを記録した前記情報記録媒体を再生する装置であって、前記情報記録媒体からＤＶＤを再生時に、再生しているセクタグループの先頭セクタのセクタ番号を取得し、前記先頭セクタを格納した前記大容量光ディスクの誤り訂正クラスタのクラスタ番号を前記セクタグループの制御パケットから取得し、前記先頭セクタと次にアクセスするべきセクタのセクタ番号の差と、前記取得したクラスタ番号とにより、次にアクセスするべき誤り訂正クラスタのクラスタ番号を算出することを特徴としている。【００１４】
また、本発明の情報再生方法は、ＤＶＤ用にオーサリングされたコンテンツのディスクイメージファイルを記録した前記情報記録媒体を再生する方法であって、ＤＶＤを再生時に、再生しているセクタグループの先頭セクタのセクタ番号を取得するステップと、前記先頭セクタを格納した前記大容量光ディスクの誤り訂正クラスタのクラスタ番号を前記セクタグループの制御パケットから取得するステップとを備え、前記先頭セクタと次にアクセスするべきセクタのセクタ番号の差と、前記取得したクラスタ番号とにより、次にアクセスするべき誤り訂正クラスタのクラスタ番号を算出することを特徴としている。【００１５】
また、本発明の情報伝送装置は、映像信号を含むコンテンツデータを圧縮符号化してプログラムストリームに変換する手段と、前記プログラムストリームを、記録媒体のセクタに格納する単位である一定長のパックに分割する手段と、前記パックに分割されたデータを、所定数のセクタで誤り訂正ブロックを構成して誤り訂正符号化する手段と、記録媒体上のトラックヘの記録順にしたがって配列した、前記誤り訂正符号化されたデータを、トランスポートストリームのパケットに格納する単位に区切る手段と、パケット単位で前記トランスポートストリームを伝送する手段とを有し、前記誤り訂正符号化されたデータを、トランスポートストリームのパケットに格納する単位に区切る前記手段は、前記トランスポートストリームのパケットに格納する単位を、誤り訂正ブロックを構成して誤り訂正符号化するときの誤り訂正符号語とすることを特徴としている。【００１６】
また、本発明の情報記録装置は、映像信号を含むコンテンツデータを圧縮符号化してプログラムストリームに変換する手段と、前記プログラムストリームを、記録媒体のセクタに格納する単位である一定長のパックに分割する手段と、前記パックに分割されたデータを、所定数のセクタで誤り訂正ブロックを構成して誤り訂正符号化する手段と、記録媒体上のトラックヘの記録順にしたがって配列した、前記誤り訂正符号化されたデータを、トランスポートストリームのパケットに格納する単位に区切る手段と、パケット単位で伝送される前記トランスポートストリームのデータを記録媒体に記録する手段とを有し、前記記録する手段は、所定数の連続した前記パケットを変換単位として整数個の誤り訂正クラスタを構成し、前記変換単位の区切りと前記誤り訂正クラスタの区切りが一致する長さを単位として前記トランスポートストリームのデータを記録し、又は、前記トランスポートストリームのデータの末尾が、前記変換単位及び前記誤り訂正クラスタの一致した区切りで完結するよう必要に応じてデータをパディングすることを特徴としている。
【発明の効果】
【００１７】
本発明によれば、ＤＶＤ用にオーサリングされたコンテンツを再オーサリングすることなくダウンロード配信に利用することが可能になるので、コンテンツの再オーサリングのためのコストが削減でき、コンテンツを安価に供給することが可能になる。【００１８】
また、本発明によれば、ユーザがダウンロードしたＤＶＤ用にオーサリングされた複数のコンテンツを大容量光ディスクに記録可能になり、また、大容量光ディスクに記録する複数タイトルのコンテンツをユーザが自由に組み合わせることが可能になる。【００１９】
また、本発明によれば、複数タイトルのＤＶＤ用にオーサリングされたコンテンツを記録した大容量光ディスクにおいても、コンテンツ再生時のアクセス性能を向上し、早送りや早戻しの速度や滑らかさ、スキップやジャンプの早さ、所望部分の頭出し時間の短縮など、各種の特殊再生を行う際のアクセス性能を良くすることが可能になる。
【図面の簡単な説明】
【００２０】
【図１】本発明が適用されるコンテンツダウンロード記録システムの構成を概略的に示すブロック図である。
【図２】本発明の実施の形態１に係る情報記録装置の一次記録手段に含まれるハードディスクから二次記録手段に含まれる光ディスク装置の記録型ＤＶＤ又は記録型大容量光ディスクへのデータの記録動作を概念的に示す図である。
【図３】ＤＶＤ用にオーサリングされたコンテンツのデータ構造と各領域に記録するデータの内容を示す図である。
【図４】実施の形態１に係る情報記録装置において、ハードディスクに記録されたＤＶＤ用にオーサリングされたコンテンツを、記録型ＤＶＤ又は記録型大容量光ディスクに記録する際のデータの配置を示す図である。
【図５】実施の形態１に係る情報記録装置において、ＤＶＤ用にオーサリングされたコンテンツのディスクイメージデータを、ハードディスク又は記録型大容量光ディスクのユーザファイル領域に記録するときの、ユーザファイル領域におけるディレクトリ及びファイル構造の構成例を示す図である。
【図６】実施の形態１に係る情報記録装置において、ＤＶＤ用にオーサリングされたコンテンツのディスクイメージデータを、ハードディスク又は記録型大容量光ディスクのユーザファイル領域に記録するときの、ユーザファイル領域におけるディレクトリ及びファイル構造の他の構成例を示す図である。
【図７】実施の形態１に係る情報記録装置において、ＤＶＤ用にオーサリングされたコンテンツのディスクイメージデータを、ハードディスク又は記録型大容量光ディスクのユーザファイル領域に記録するときの、ユーザファイル領域におけるディレクトリ及びファイル構造のさらに他の構成例を示す図である。
【図８】実施の形態１に係る情報記録装置において、ＤＶＤ用にオーサリングされたコンテンツのディスクイメージデータに、記録型大容量光ディスク用の著作権保護をかけて記録型大容量光ディスクのユーザファイル領域に記録するときの、ディレクトリ及びファイル構造を示す図である。
【図９】ＤＶＤにおける記録単位を示す図である。
【図１０】ソースパケットの構造を示す図である。
【図１１】実施の形態１に係る情報記録装置の動作を説明するための図であり、２０６４バイトのセクタのデータを１１パケットに格納する処理を示す。
【図１２】実施の形態１に係る情報記録装置の動作を説明するための図であり、４８セクタのデータをパケットに格納する処理を示す。
【図１３】実施の形態１に係る情報記録装置の動作を説明するための図であり、３２ソースパケットから１配列ユニットが構成される例を示す。
【図１４】実施の形態１に係る情報記録装置の動作を説明するための図であり、配列ユニット、ＤＶＤのＥＣＣブロック、及び記録型大容量光ディスクのＥＣＣクラスタの関係を示す。
【図１５】実施の形態１に係る情報記録装置の動作を説明するための図であり、４７セクタのデータを５１６パケットに格納する場合を示す。
【図１６】実施の形態１に係る情報記録装置の動作を説明するための図であり、３２ソースパケットが１配列ユニットを構成する例を示す。
【図１７】実施の形態１に係る情報記録装置の動作を説明するための図であり、配列ユニット、ＤＶＤのＥＣＣブロック、及び記録型大容量光ディスクのＥＣＣクラスタの関係を示す。
【図１８】実施の形態１に係る情報記録装置の動作を説明するための図であり、第１記録層と第２記録層を有する２層ＤＶＤにおける各領域とセクタ番号の関係を示す。
【図１９】実施の形態１に係る情報記録装置の動作を説明するための図であり、ディスクイメージデータの各ファイルに収録するデータの例を示す。
【図２０】実施の形態１に係る情報記録装置の動作を説明するための図であり、ディスクイメージデータの各ファイルに収録するデータの他の例を示す。
【図２１】実施の形態１に係る情報記録装置の動作を説明するための図であり、ディスクイメージデータの各ファイルに収録するデータのさらに他の例を示す。
【図２２】実施の形態１に係る情報記録装置の動作を説明するための図であり、ＤＶＤのセクタ番号からそのセクタの格納されている記録型大容量光ディスクのＥＣＣクラスタ番号を算出する方法を示す。
【図２３】実施の形態１に係る情報記録装置の動作を説明するための図であり、ＤＶＤのセクタの配置テーブルの構成を示す。
【図２４】本発明の実施の形態２に係る情報記録装置の動作を説明するための図であり、ＤＶＤのセクタ、ＥＣＣブロックのデータ処理方法、及び、パケットへの格納方法を示す。
【図２５】実施の形態２に係る情報記録装置の動作を説明するための図であり、２４１８バイトの物理セクタのデータを１３パケットに格納する構成を示す。
【図２６】実施の形態２に係る情報記録装置の動作を説明するための図であり、１３配列ユニットが４１６ソースパケットから構成される例を示す。
【図２７】実施の形態２に係る情報記録装置の動作を説明するための図であり、配列ユニット、ＤＶＤのＥＣＣブロック、及び記録型大容量光ディスクのＥＣＣクラスタの関係を示す。
【図２８】図２５に示される制御バイト領域の先頭バイトの構成を示す図である。
【図２９】図２５に示される制御バイト領域の第２バイトの構成を示す図である。
【図３０】コンテンツサーバがＤＶＤコンテンツをネットワークへ送り出すときの伝送パケットの生成法を示す図である。
【図３１】（ａ）乃至（ｃ）は、伝送パケットの構成を示す図である。
【符号の説明】
【００２１】
１  コンテンツサーバ、  ２  ネットワーク、  ３  情報記録装置、  ４  制御手段、  ４ａ  メモリ、  ５  一次記録手段、  ６  二次記録手段、  １１  コンテンツ＃１、  １２  コンテンツ＃２、  １３  コンテンツ＃３、  １９  コンテンツ＃ｎ、  ５０  ハードディスク、  ５１  ハードディスクのリードイン領域、  ５３  ハードディスクのファイルシステム−１領域、  ５４  ハードディスクのユーザファイル領域、  ５８  ハードディスクのファイルシステム−２領域、  ５９  ハードディスクのリードアウト領域、  ６０  光ディスク装置、  ７０  記録型ＤＶＤ、  ７１  ＤＶＤのリードイン領域、  ７２  ＤＶＤのデータ領域、  ７３  ＤＶＤのファイルシステム−１領域、  ７４  ＤＶＤのユーザファイル領域、  ７８  ＤＶＤのファイルシステム−２領域、  ７９  ＤＶＤのリードアウト領域、  ８０  物理セクタ、  ８１  ヘッダ領域、  ８２  メインデータ、  ８３  誤り検出符号（ＥＤＣ）、  ８４  セクタ番号、  ８５  セクタ、  ８６  同期情報（ＳＹＮＣ）、  ８７  誤り訂正符号（ＥＣＣ）、  ８８  内パリティ（ＰＩ）、  ８９  外パリティ（ＰＯ）、  ９０  記録型大容量光ディスク、  ９１  記録型大容量光ディスクのリードイン領域、  ９３  記録型大容量光ディスクのファイルシステム−１領域、  ９４  記録型大容量光ディスクのユーザファイル領域、  ９８  記録型大容量光ディスクのファイルシステム−２領域、  ９９  記録型大容量光ディスクのリードアウト領域、  １００  インデックス情報ファイル、  １１０，１２０，１９０  ディスクイメージデータのファイル、  １１１，１２１，１９１  リードイン領域のディスクイメージデータのファイル、  １１２，１９２  データ領域のディスクイメージデータのファイル、  １１３  ファイルシステム−１領域のディスクイメージデータのファイル、  １１４  ユーザファイル領域のディスクイメージデータのファイル、  １１８  ファイルシステム−２領域のディスクイメージデータのファイル、  １１９，１２９，１９９  リードアウト領域のディスクイメージデータのファイル、  １２０  ディスクイメージデータのファイル、  １２５  第１記録層のデータ領域のディスクイメージデータのファイル、  １２６  第２記録層のデータ領域のディスクイメージデータのファイル、  １５０  著作権保護情報ファイル群、  １９０  ディスクイメージデータのファイル、  ２０１  パディング−１、  ２０２  パディング−２、  ２０３  パディング−３、  ２１２  ＰＯをインタ−リーブしたＥＣＣブロック、  ３００  パケット、  ３０１  制御パケット、  ３０２  セクタグループ、  ３１０  ソースパケット、  ３２０  配列ユニット、  ３３０  制御バイト領域、  ３４０  伝送パケット、  ３４１  １パック分相当の伝送パケット。
【発明を実施するための最良の形態】
【００２２】
実施の形態１．
図１は、本発明が適用されるコンテンツダウンロード記録システムの構成を概略的に示すブロック図である。図１に示されるように、本発明が適用されるコンテンツダウンロード記録システムは、ネットワーク２を介して通信可能なコンテンツサーバ１と、ネットワーク２を介して通信可能な情報記録装置３とから構成されている。情報記録装置３は、本発明の情報記録方法を実施する装置である。また、情報記録装置３は、例えば、ハードディスク内蔵型の光ディスクレコーダであり、情報を記録した記録媒体から情報を読み出して再生する機能を備えている。【００２３】
図１に示されるように、情報記録装置３は、メモリ４ａを備えた制御手段４と、一次記録手段５と、二次記録手段６と、本体操作部又はリモコンなどのユーザインターフェース７とを有している。一次記録手段５は、一般に、情報を記録するハードディスク５０を含むハードディスク装置（ＨＤＤ）である。二次記録手段６は、可換媒体に情報を記録する装置であり、例えば、光ディスク装置６０を有している。二次記録手段６で用いられる可換媒体としては、現行の記録型光ディスクである記録型ＤＶＤ（デジタル多用途ディスク）７０、及び、次世代の記録型大容量光ディスク９０のいずれかを選択的に利用することができる。記録型大容量光ディスク９０としては、例えば、青色レーザ光ディスクがある。本発明は、それぞれが番組タイトルを持つ、ＤＶＤ用にオーサリングされた複数のコンテンツを、現行のＤＶＤより大容量（例えば、現行のＤＶＤの数枚分のコンテンツを記憶できる記録容量）の記録媒体に記録可能なシステムに適用できる。また、情報記録装置３は、二次記録手段６を複数備えてもよい。この場合には、複数の二次記録手段６の一つを、記録型ＤＶＤと記録型大容量光ディスクを用いることができる光ディスク記録装置６０とし、他の二次記録手段を半導体メモリや磁気メモリなど光ディスク以外の記録媒体で構成してもよい。【００２４】
コンテンツサーバ１は、ＤＶＤ用にオーサリングされたコンテンツを配信用コンテンツとして複数蓄積している。ユーザは、情報記録装置３のユーザインターフェース７を使って、ネットワーク２を介してコンテンツサーバ１に対して、ダウンロード配信を希望するコンテンツを指定する。コンテンツサーバ１は、ユーザ認証や課金などの所定の条件が満たされれば、ユーザの要求に応じて、ネットワーク２を通じてユーザ側の情報記録装置３にＤＶＤ用にオーサリングされたコンテンツを送信する。【００２５】
情報記録装置３においては、制御手段４がネットワーク２からＤＶＤ用にオーサリングされたコンテンツのデータを受け取り、まず一次記録手段５のハードディスク５０に受信したデータを記録する。このように、ユーザは、ユーザインターフェース７を使った指示により、コンテンツサーバ１に蓄積されているコンテンツの中から所望の一つ又は複数のＤＶＤ用にオーサリングされたコンテンツを一次記録手段５のハードディスク５０に記録させることができる。【００２６】
また、ユーザは、ユーザインターフェース７を使った指示により、一次記録手段５に記録されたＤＶＤ用にオーサリングされた複数のコンテンツの中から所望のコンテンツを指定して、指定されたＤＶＤ用にオーサリングされたコンテンツを二次記録手段６に挿入された記録型ＤＶＤ７０又は記録型大容量光ディスク９０に記録して保存させることができる。このときの記録方式としては、コンテンツ毎に定められた利用条件によって異なり、一次記録手段５に元のデータを利用可能なように残したまま、一次記録手段５のデータを二次記録手段６に記録する記録動作である「コピー」、又は、一次記録手段５のデータを二次記録手段６に記録した後に、一次記録手段５のデータを削除する記録動作である「ムーブ（移動）」がある。【００２７】
また、情報記録装置３においては、一次記録手段５に保存されたコンテンツのデータは、二次記録手段６へ保存するまでの間だけ、一時的に記録しておくように設定することもでき、また、ユーザが削除指示操作をするまで一次記録手段５に残しておくように設定することもできる。【００２８】
図２は、本発明の実施の形態１に係る情報記録装置３の一次記録手段５に含まれるハードディスク５０から二次記録手段６に含まれる光ディスク装置６０の記録型ＤＶＤ７０又は記録型大容量光ディスク９０へのデータの記録動作を概念的に示す図である。図２には、ハードディスク５０に記録されたＤＶＤ用にオーサリングされたコンテンツ（＃１）１１からＤＶＤ用にオーサリングされたコンテンツ（＃ｎ）１９までのｎ個のコンテンツから、１つのコンテンツを選んで現行の光ディスクである記録型ＤＶＤ７０に、又は、複数のコンテンツを選んで記録型大容量光ディスク９０に、それぞれ光ディスク装置６０によって記録する様子が示されている。ＤＶＤ用にオーサリングされたコンテンツは、現行のＤＶＤ規格が規定するフォーマットに準拠して映像データ、音声データ、制御データなどが作成されているコンテンツである。また、説明を単純にするため、ＤＶＤ用にオーサリングされた１つのコンテンツのサイズは、１枚のＤＶＤに収まる大きさとする。【００２９】
図３は、ＤＶＤ用にオーサリングされたコンテンツのデータ構造と各領域に記録するデータの内容を示す図である。図３に示されるように、ＤＶＤの情報記録層は、ＤＶＤ規格に準拠して、半径方向に区分された、リードイン領域７１、データ領域７２、及びリードアウト領域７９を有している。さらに、データ領域７２は、半径方向に区分された、ファイルシステム−１領域７３、ユーザファイル領域７４、及びファイルシステム−２領域７８を有している。【００３０】
リードイン領域７１は、光ディスク装置がＤＶＤを駆動するために必要な制御情報と、コンテンツが著作権保護技術によって暗号化されたものであれば、そのコンテンツにアクセスするために必要な暗号キーなどの情報とを記録している。ユーザファイル領域７４は、暗号化された部分を含むコンテンツのデータ全体と、その暗号を復号するために必要な暗号キーなどの情報を記録している。ファイルシステム−１領域７３及びファイルシステム−２領域７８は、ユーザファイル領域７４の定義や、ユーザファイル領域７４中のユーザファイルの配置情報などの管理データ、すなわち、ボリューム構造やファイル構造などファイルシステムを構成する情報を記録している。ファイルシステム−２領域７８の後ろのリードアウト領域７９は、ＤＶＤを読み取る光ヘッドがデータ領域７２から外れる場合があることを想定して設けられた余裕のための領域として置かれている。【００３１】
以上の説明のように、ＤＶＤは、ディスク面全体に半径方向に分割して配置された、リードイン領域７１からリードアウト領域７９までの各領域に、コンテンツの再生に必要な情報を分散して保持する。このため、図２に示されるように、光ディスク装置６０が記録媒体である記録型ＤＶＤ７０や記録型大容量光ディスク９０にコンテンツを記録する際には、記録元のＤＶＤのディスク全体のデータを記録する必要がある。ＤＶＤ用にオーサリングされたコンテンツを記録型ＤＶＤ７０に記録する場合には、記録型ＤＶＤ７０のフォーマットがダウンロードされるコンテンツのフォーマットと同じであるので、ダウンロードされたコンテンツのデータをそのまま記録型ＤＶＤ７０に記録すればよい。また、ＤＶＤ用にオーサリングされたコンテンツを記録型大容量光ディスク９０に記録する場合には、最も単純な方法として、ダウンロードされるＤＶＤ用にオーサリングされたコンテンツのデータの全体（すなわち、記録元のＤＶＤのディスク全体に記録されたデータ）を、ディスクイメージとして記録型大容量光ディスク９０のユーザファイル領域（後述する図４の領域９４）に記録する。このとき、ダウンロードされるコンテンツ（ＤＶＤ用にオーサリングされたコンテンツ）のフォーマットは、記録型大容量光ディスク９０のコンテンツ（記録型大容量光ディスク用にオーサリングされたコンテンツ）のフォーマットと異なる。したがって、ＤＶＤ用にオーサリングされたコンテンツを、ディスクイメージとして記録型大容量光ディスク９０のユーザファイル領域（後述する図４の領域９４）に記録した場合には、そのまま記録型大容量光ディスク９０全体のデータとして扱うことはできない。そのため、実施の形態１においては、必要になる変換処理を導入した。【００３２】
図４は、実施の形態１に係る情報記録装置３において、ハードディスク５０に記録されたＤＶＤ用にオーサリングされたコンテンツを、記録型ＤＶＤ７０又は記録型大容量光ディスク９０に記録する際のデータの配置を示す図である。図４に示されるように、ハードディスク５０には、ユーザファイル領域５４と、ハードディスク５０自体の管理のための、リードイン領域５１、ファイルシステム−１領域５３、ファイルシステム−２領域５８、及びリードアウト領域５９が配置されている。制御手段（図１の符号４）は、ハードディスク５０にアクセスするための情報や、ハードディスク５０に記録するユーザファイル管理のためのファイルシステムを構成する情報を記録している。【００３３】
図４には、ユーザファイル領域５４に、ＤＶＤ用にオーサリングされたコンテンツ（＃１）１１からＤＶＤ用にオーサリングされたコンテンツ（＃ｎ）１９までのｎ個のコンテンツを記録した状態を示す。記録されたＤＶＤ用にオーサリングされたコンテンツは、各々が図３に示したデータ構造を有する。ＤＶＤ用にオーサリングされた各コンテンツのリードイン領域７１からリードアウト領域７９までの各領域の名称は、ＤＶＤのフォーマットとしての内容を示しているが、ハードディスク５０上では、すべてハードディスク５０のユーザファイル領域５４に記録されたディスクイメージのユーザデータとして扱われるデータである。【００３４】
図４に示されるように、ハードディスク５０から、例えば、ＤＶＤ用にオーサリングされたコンテンツ（＃１）１１を記録型ＤＶＤ７０に記録するとき、ハードディスク５０のディスクイメージ上のリードイン領域７１、ファイルシステム−１領域７３、ユーザファイル領域７４、ファイルシステム−２領域７８、リードアウト領域７９は、それぞれ、記録型ＤＶＤ７０のディスクフォーマット上の、リードイン領域７１、ファイルシステム−１領域７３、ユーザファイル領域７４、ファイルシステム−２領域７８、及びリードアウト領域７９のあるべき位置に記録する。この結果、記録型ＤＶＤ７０は、ＤＶＤのディスクフォーマットに準拠したディスクとなり、ＤＶＤ再生機器で再生可能となる。【００３５】
図４に示されるように、記録型大容量光ディスク９０には、ユーザファイル領域９４のほかに、ディスク自体の管理のためにリードイン領域９１、ファイルシステム−１領域９３、ファイルシステム−２領域９８、及びリードアウト領域９９が配置されている。制御手段（図１の符号４）は、記録型大容量光ディスク９０にアクセスするための情報や、記録型大容量光ディスク９０に記録するユーザファイル管理のためのファイルシステムを構成する情報を記録している。ハードディスク５０から、例えば、ＤＶＤ用にオーサリングされたコンテンツ（＃１）１１を記録型大容量光ディスク９０に記録するとき、ディスクイメージのデータはすべて記録型大容量光ディスク９０のユーザファイル領域９４に記録する。ＤＶＤ用にオーサリングされたコンテンツ（＃２）１２のディスクイメージのデータ及びＤＶＤ用にオーサリングされたコンテンツ（＃ｎ）１９のディスクイメージのデータも、ＤＶＤ用にオーサリングされたコンテンツ（＃１）１１のディスクイメージのデータと同様に、記録型大容量光ディスク９０のユーザファイル領域９４に記録する。【００３６】
図５は、実施の形態１に係る情報記録装置３において、ＤＶＤ用にオーサリングされたコンテンツのディスクイメージデータを、ハードディスク５０のユーザファイル領域５４又は記録型大容量光ディスク９０のユーザファイル領域９４に記録するときの、ユーザファイル領域５４又は９４上のディレクトリ及びファイル構造の構成例を示す図である。図５に示されるように、ｒｏｏｔディレクトリの下にＤＶＤ用にオーサリングされたコンテンツの各々のデータを、それぞれまとめて収容するため、ＤＶＤ用にオーサリングされたコンテンツ毎にサブディレクトリを設ける。ＤＶＤ用にオーサリングされたコンテンツ（＃１）１１のディスクイメージデータのファイル“ｄｖｄｉｍａｇｅ．ｄｉｔｓ”１１０をサブディレクトリ“ＢＤＶＤ１”の下に、ＤＶＤ用にオーサリングされたコンテンツ（＃２）１２のディスクイメージデータのファイル“ｄｖｄｉｍａｇｅ．ｄｉｔｓ”１２０をサブディレクトリ“ＢＤＶＤ２”の下に、ＤＶＤ用にオーサリングされたコンテンツ（＃ｎ）１９のディスクイメージデータのファイル“ｄｖｄｉｍａｇｅ．ｄｉｔｓ”１９０をサブディレクトリ“ＢＤＶＤ９”の下に、それぞれ置く。また、サブディレクトリ“ＢＤＶＤ”は、これらのディスクイメージデータとそれを収容したサブディレクトリに関する情報を管理するためのインデックス情報ファイル“ｉｎｄｅｘ．ｂｄｖｄ”１００を入れたサブディレクトリである。サブディレクトリ“ＢＤＶＤ”は、ユーザが記録型大容量光ディスク９０に保存されたＤＶＤ用にオーサリングされたコンテンツにアクセスするときに、コンテンツの収録状況をまとめた情報を提供するために使用される。【００３７】
ハードディスク５０及び記録型大容量光ディスク９０のいずれにおいても、ディスクイメージファイルは、ユーザファイル領域５４又は９４のデータとして扱われるので、同様のファイル構造にすることができる。ハードディスク５０から記録型大容量光ディスク９０に、ＤＶＤ用にオーサリングされたコンテンツをコピー又はムーブによって記録するとき、同一のファイル構造にしておくと、記録時の変換処理を省略することができ、処理が簡単になる。なお、記録型大容量光ディスク９０では、コンテンツのデータを収容することが主目的なので、“ＢＤＶＤ”、“ＢＤＶＤ１”等のサブディレクトリをｒｏｏｔディレクトリの直下に置くことでこれら情報へのアクセス経路を簡単にするが、ハードディスク５０では、制御手段の設計の都合により、“ＢＤＶＤ”、“ＢＤＶＤ１”等のサブディレクトリをｒｏｏｔディレクトリの直下に置かず、階層構造の中で別のサブディレクトリの下にまとめて置くようにしても構わない。そのサブディレクトリの下のファイル構造が同じ場合には、記録時の変換処理を省略することができるという、同様の効果が得られる。【００３８】
また、ＤＶＤ用にオーサリングされたコンテンツ毎にサブディレクトリ“ＢＤＶＤ１”、“ＢＤＶＤ２”、…を設けたことにより、各ディスクイメージデータのファイル名“ｄｖｄｉｍａｇｅ．ｄｉｔｓ”が同一であっても、ファイル名を変更することなくディスクイメージのファイルを扱うことができる。コンテンツサーバ１がユーザにＤＶＤ用にオーサリングされたコンテンツをダウンロード配信するとき、全てのＤＶＤ用にオーサリングされたコンテンツをどのユーザにも同じディスクイメージデータのファイル名で配信することができるので、ファイル名を個別に調整することが不要になる。この結果、大容量光ディスク９０の再生機器で、対応すべき対象ファイルを容易に識別可能となる。【００３９】
図５においては、各ディスクイメージデータを単一ファイルにした例を示した。この場合、ディスクイメージデータのファイル“ｄｖｄｉｍａｇｅ．ｄｉｔｓ”には、ＤＶＤ用にオーサリングされたコンテンツのリードイン領域からリードアウト領域までの全ディスク領域のイメージデータが一括して含まれる。現状では、コンテンツサーバ１は、記録型ＤＶＤ７０へのダウンロード配信を主目的としてＤＶＤ用にオーサリングされたコンテンツを準備することが予想される。本発明で想定しているような記録型大容量光ディスク９０への配信を前提としたデータフォーマットでダウンロード配信用のコンテンツが準備されていない場合には、図５に示したような記録方法、すなわち、ＤＶＤ用にオーサリングされた１つのコンテンツ、すなわち、１枚分のＤＶＤ用にオーサリングされたコンテンツに関するデータを、１つのファイルにまとめて記録する方法を用いることができる。【００４０】
図６は、実施の形態１に係る情報記録装置３において、ＤＶＤ用にオーサリングされたコンテンツのディスクイメージデータを、ハードディスク５０のユーザファイル領域５４又は記録型大容量光ディスク９０のユーザファイル領域９４に記録するときの、ユーザファイル領域５４又は９４上のディレクトリ及びファイル構造の他の構成例を示す図である。図６に示される例は、ｒｏｏｔディレクトリの下にＤＶＤ用にオーサリングされたコンテンツのデータをそれぞれにまとめて収容するため、ＤＶＤ用にオーサリングされたコンテンツ毎にサブディレクトリ“ＢＤＶＤ１”、“ＢＤＶＤ２”、“ＢＤＶＤ９”、…を設けた点において、図５に示される例と同じである。また、図６に示されるサブディレクトリ“ＢＤＶＤ”とその下のインデックス情報ファイル“ｉｎｄｅｘ．ｂｄｖｄ”１００は、図５に示されるものと同じである。【００４１】
図６に示される例においては、ＤＶＤ用にオーサリングされたコンテンツ（＃１）１１のディスクイメージデータは、サブディレクトリ“ＢＤＶＤ１”の下に置くが、ＤＶＤのディスク領域毎に分割したものとしている。図６に示されるように、ＤＶＤのリードイン領域７１のディスクイメージデータをファイル“ｌｅａｄ−ｉｎ．ｄｉｔｓ”１１１に、ＤＶＤのファイルシステム−１領域７３のディスクイメージデータをファイル“ｖｓｆｓ−ｉｎ．ｄｉｔｓ”１１３に、ＤＶＤのユーザファイル領域７４のディスクイメージデータをファイル“ｄｖｄ−ｖｉｄｅｏ．ｄｉｔｓ”１１４に、ＤＶＤのファイルシステム−２領域７８のディスクイメージデータをファイル“ｖｓｆｓ−ｏｕｔ．ｄｉｔｓ”１１８に、ＤＶＤのリードアウト領域７９のディスクイメージデータをファイル“ｌｅａｄ−ｏｕｔ．ｄｉｔｓ”１１９に記録する。【００４２】
同様に、ＤＶＤ用にオーサリングされたコンテンツ（＃２）１２のディスクイメージデータは、サブディレクトリ“ＢＤＶＤ２”の下に置くが、ＤＶＤのディスク領域毎に分割したものとしている。ＤＶＤのリードイン領域７１のディスクイメージデータをファイル“ｌｅａｄ−ｉｎ．ｄｉｔｓ”１２１に、ＤＶＤのファイルシステム−１領域７３のディスクイメージデータをファイル“ｖｓｆｓ−ｉｎ．ｄｉｔｓ”１２３に、ＤＶＤのユーザファイル領域７４のディスクイメージデータをファイル“ｄｖｄ−ｖｉｄｅｏ．ｄｉｔｓ”１２４に、ＤＶＤのファイルシステム−２領域７８のディスクイメージデータをファイル“ｖｓｆｓ−ｏｕｔ．ｄｉｔｓ”１２８に、ＤＶＤのリードアウト領域７９のディスクイメージデータをファイル“ｌｅａｄ−ｏｕｔ．ｄｉｔｓ”１２９に記録する。【００４３】
同様に、ＤＶＤ用にオーサリングされたコンテンツ（＃ｎ）１９のディスクイメージデータは、サブディレクトリ“ＢＤＶＤ９”の下に置くが、ＤＶＤのディスク領域毎に分割したものとしている。ＤＶＤのリードイン領域７１のディスクイメージデータをファイル“ｌｅａｄ−ｉｎ．ｄｉｔｓ”１９１に、ＤＶＤのファイルシステム−１領域７３のディスクイメージデータをファイル“ｖｓｆｓ−ｉｎ．ｄｉｔｓ”１９３に、ＤＶＤのユーザファイル領域７４のディスクイメージデータをファイル“ｄｖｄ−ｖｉｄｅｏ．ｄｉｔｓ”１９４に、ＤＶＤのファイルシステム−２領域７８のディスクイメージデータをファイル“ｖｓｆｓ−ｏｕｔ．ｄｉｔｓ”１９８に、ＤＶＤのリードアウト領域７９のディスクイメージデータをファイル“ｌｅａｄ−ｏｕｔ．ｄｉｔｓ”１９９に記録する。【００４４】
ＤＶＤ用にオーサリングされたコンテンツ（＃１）１１の再生時にアクセスする情報の種別によって、記録型大容量光ディスク９０上に存在する領域が異なる。このように領域毎にファイル分割することにより、各種別の情報に対するアクセス制御が簡単になる。図６に示される例においては、起動時にまず“ｌｅａｄ−ｉｎ．ｄｉｔｓ”１１１を読み込んでコンテンツへアクセスするために必要な情報だけを取得し、次に“ｖｓｆｓ−ｉｎ．ｄｉｔｓ”１１３と“ｖｓｆｓ−ｏｕｔ．ｄｉｔｓ”１１８を読み込んでファイルへのアクセス情報を取得し、必要であれば、再生中にも参照する情報はそのまま制御手段（図１の符号４）のメモリ４ａに保持し、次いで“ｄｖｄ−ｖｉｄｅｏ．ｄｉｔｓ”１１４を順次読み取ってＤＶＤ用にオーサリングされたコンテンツ（＃１）の再生を行う、という細かな扱いがファイル単位で実施できる。このため、記録型大容量光ディスク９０上のファイル管理が簡単になる。【００４５】
なお、ＤＶＤ用にオーサリングされたコンテンツ（＃２）１２やＤＶＤ用にオーサリングされたコンテンツ（＃ｎ）１９のディスクイメージデータも、ここで例に挙げたＤＶＤ用にオーサリングされたコンテンツ（＃１）１１のデータと同様である。【００４６】
図７は、実施の形態１に係る情報記録装置３において、ＤＶＤ用にオーサリングされた複数のコンテンツのディスクイメージデータを、ハードディスク５０のユーザファイル領域５４又は記録型大容量光ディスク９０のユーザファイル領域９４に記録するときの、ユーザファイル領域５４又は９４上のディレクトリ及びファイル構造のさらに他の構成例を示す図である。図７において、図６に示される部分と同一又は対応する部分には同じ符号を付す。図７に示される記録方法は、ｒｏｏｔディレクトリの下にＤＶＤ用にオーサリングされたコンテンツのデータをＤＶＤ毎にまとめて収容するため、ＤＶＤ毎にサブディレクトリを設けた点は、図５又は図６の場合と同じである。また、サブディレクトリ“ＢＤＶＤ”とその下のインデックス情報ファイル“ｉｎｄｅｘ．ｂｄｖｄ”１００も図５の場合と同じである。【００４７】
図７に示す例では、ＤＶＤ用にオーサリングされたコンテンツ（＃１）１１のディスクイメージデータは、サブディレクトリ“ＢＤＶＤ１”の下に置くが、ＤＶＤのディスク領域毎の分割の仕方が図６の場合と異なる。図７に示す例では、ＤＶＤのリードイン領域７１のディスクイメージデータをファイル“ｌｅａｄ−ｉｎ．ｄｉｔｓ”１１１に、ＤＶＤのデータ領域７２のディスクイメージデータをファイル“ｄａｔａ−ｌａｙｅｒ．ｄｉｔｓ”１１２に、ＤＶＤのリードアウト領域７９のディスクイメージデータをファイル“ｌｅａｄ−ｏｕｔ．ｄｉｔｓ”１１９に記録する。【００４８】
図７に示す例では、図６に示す例ほど細かいファイル単位の扱いはしないが、ディスクの起動時に必要な情報と、コンテンツの再生に必要な情報を区分けして扱うことができる。ＤＶＤのタイプとして、情報記録層として第１記録層のみを有する１層ディスクと、情報記録層として第１記録層と第２記録層とを有する２層ディスクの２種類が存在する。１層ディスクの場合は、情報記録層の上の記録トラックもデータ領域もディスクの内周から外周まで連続しているが、２層ディスクでは、光ディスクの第１記録層で記録トラックを内周側から外周側まで辿った後、ディスクの第２記録層にジャンプして第２記録層で記録トラックを外周側から内周側まで辿って戻ることになる。したがって、データ領域のほぼ中央で記録トラックが途切れることになる。データの連続性も途切れるので、ここを区切りとして別ファイルにした方が、アクセス制御を簡単にすることができる。【００４９】
図７に示されるように、ＤＶＤ用にオーサリングされたコンテンツ（＃１）１１のディスクイメージデータは、１層ディスクのＤＶＤに収容されるコンテンツの場合の例を示している。これに対し、ＤＶＤ用にオーサリングされたコンテンツ（＃２）１２のディスクイメージデータは、２層ディスクのＤＶＤに収容されるコンテンツの場合の例を示している。ディスクイメージデータを、サブディレクトリ“ＢＤＶＤ２”の下に置き、データ領域７２のディスクイメージデータを第１記録層のデータと第２記録層のデータに分割し、第１記録層のデータ領域７２のディスクイメージデータをファイル“ｄａｔａ−ｌａｙｅｒ１．ｄｉｔｓ”１２５に、第２記録層のデータ領域７２のディスクイメージデータをファイル“ｄａｔａ−ｌａｙｅｒ２．ｄｉｔｓ”１２６に記録するようにした。こうすれば、ディスクの記録層毎に分けたディスクイメージデータのファイルでアクセス制御ができるので、制御情報の管理が容易になる。【００５０】
ディスクイメージデータの詳細フォーマットは後述するが、第１記録層のデータ領域７２のディスクイメージデータのファイル“ｄａｔａ−ｌａｙｅｒ１．ｄｉｔｓ”１２５と、第２記録層のデータ領域７２のディスクイメージデータのファイル“ｄａｔａ−ｌａｙｅｒ２．ｄｉｔｓ”１２６の端末処理を工夫することによって、ＤＶＤイメージ上のコンテンツへのアクセス制御がより簡単になる。これはデータ領域７２のディスクイメージデータを第１記録層のデータと第２記録層のデータに分割したことから得られる利点である。【００５１】
次に、コンテンツの著作権保護について説明する。映像コンテンツ用の記録媒体では著作権の保護が重視され、規格で特定した著作権保護技術が適用される。ＤＶＤ用にオーサリングされたコンテンツは著作権保護技術ＣＳＳにより保護され、大容量光ディスクはより強力な著作権保護技術ＡＡＣＳにより保護される。しかし、著作権保護を無効にしたり不正に解読したりする技術も進歩するので、著作権保護技術ＣＳＳにより保護されたＤＶＤ用にオーサリングされたコンテンツのデータであっても、大容量光ディスクの著作権保護技術ＡＡＣＳによって二重に保護をかける方が望ましい。コンテンツプロバイダにとっても、ＤＶＤ用にオーサリングされたコンテンツを複数まとめて１枚の大容量光ディスクにして供給するにあたり、より強い技術で保護をかけたいとのニーズは高い。情報記録装置３に対して、ＤＶＤ用にオーサリングされた複数のコンテンツをダウンロードするとき、ハードディスク５０に一つずつ個別に記録する。また、ハードディスク５０から記録型大容量光ディスク９０に記録するとき、ユーザが所望のコンテンツを指定して記録する。このとき、後刻にコンテンツを追加して記録可能としておくと便利である。したがって、大容量光ディスク用の著作権保護は、コンテンツの記録毎に個別にかける必要がある。【００５２】
図８は、実施の形態１に係る情報記録装置において、ＤＶＤ用にオーサリングされた複数のコンテンツのディスクイメージデータに、記録型大容量光ディスク用の著作権保護をかけて記録型大容量光ディスク９０のユーザファイル領域９４に記録するときの、ディレクトリ及びファイル構造を示す図である。図８において、図７に示される部分と同一又は対応する部分には同じ符号を付す。著作権保護のために必要な情報を格納したファイルは複数個あるが、図８においては、これらをまとめて、著作権保護情報ファイル群“ｃｏｐｙ−ｐｒｏｔｅｃｔ．ｄａｔａ”１５０として、新たに設けた著作権保護情報サブディレクトリ“ＣＰ”の下に収容している。ＤＶＤ用にオーサリングされたコンテンツのサブディレクトリ“ＢＤＶＤｎ”（ｎは整数）の下に置いたディスクイメージデータのファイルは、著作権保護情報ファイル群“ｃｏｐｙ−ｐｒｏｔｅｃｔ．ｄａｔａ”１５０の情報を適用して、記録時に暗号化され、再生時に復号される。再生時にはさらにＤＶＤの再生機器や再生ソフトウェアによってＣＳＳの復号を実施したうえでＤＶＤ用にオーサリングされたコンテンツとして再生される。【００５３】
ＤＶＤ用にオーサリングされたコンテンツをハードディスク５０から記録型大容量光ディスク９０に記録するときは、一旦ハードディスク５０上での暗号化を解除した上で、光ディスク装置６０で記録型大容量光ディスク９０向けに暗号化処理を行って記録する。また、ＤＶＤ用にオーサリングされたコンテンツハードディスク５０から記録型ＤＶＤ７０に記録するときは、ハードディスク上での暗号化を解除してＣＳＳによる保護のみかけられた状態にし、光ディスク装置６０で記録型ＤＶＤ７０に記録する。この構成によれば、記録された各ＤＶＤ用にオーサリングされたコンテンツは、記録型大容量光ディスクのフォーマット上は、他の大容量光ディスクコンテンツと同様に、それぞれ一つのタイトルとして扱うことになる。コンテンツとして運用が共通化されるので、システム構成や管理が簡単になる。【００５４】
以下に、ＤＶＤのディスクイメージデータを、記録型大容量光ディスク９０上の記録単位にあわせてできるだけ効率良く、かつ、データへのアクセス制御が簡単になるようにパッキングして収録する方法を説明する。【００５５】
図９は、ＤＶＤにおける記録単位を示す図である。図９に示されるように、ＤＶＤ上の記録トラックは、物理セクタ８０が連続して繋がって構成される。物理セクタ８０は、同期情報（ＳＹＮＣ）８６と、セクタ８５と、誤り訂正符号（ＥＣＣ）８７とから構成される。物理セクタ８０のうち、有意なデータの部分がセクタ８５である。セクタ８５は、先頭部に１２バイトのヘッダ領域８１と、これに続く２０４８バイトのメインデータ８２と、さらに続く４バイトの誤り検出符号（ＥＤＣ）８３とを有している。ヘッダ領域８１の先頭部分に、セクタ番号８４が含まれる。セクタ８５のセクタ長は２０６４バイトである。一般的なＤＶＤでは、記録再生のアクセス単位であるセクタには、５１２バイト、１０２４バイト、２０４８バイトのように２の冪乗のバイト数のユーザデータを記録する。ＤＶＤと記録型大容量光ディスクでも、記録単位であるデータフレーム長はメインデータ８２と同じ２０４８バイトである。通常のデータ記録用途であれば、ユーザファイルの記録にはＤＶＤでもメインデータ８２に入る２０４８バイトのデータだけで十分である。【００５６】
しかし、ＤＶＤ用にオーサリングされたコンテンツでは、コンテンツ再生時のアクセス性能を向上して早送りや早戻しを滑らかにしたりスキップやジャンプを早くして所望部分の頭出しを速くするなどの各種の特殊再生を行う際のアクセス性能を良くするための制御情報、及び、本発明が対象としているような暗号化されたコンテンツとそのコンテンツにアクセスしたり暗号を復号するための情報がヘッダ領域を利用している。セクタのヘッダ領域には、セクタ番号を含めてこういう用途に使用される情報を保持している。したがって、ＤＶＤ用にオーサリングされたコンテンツのディスクイメージデータとして、ＤＶＤのセクタ長２０６４バイト全体を記録型大容量光ディスクへ記録する必要がある。【００５７】
なお、実際にＤＶＤ上の物理セクタ８０では、この２０６４バイトのセクタ８５に、５２バイトの同期情報（ＳＹＮＣ）８６と、３０２バイトの誤り訂正符号（ＥＣＣ）８７が加わり、２４１８バイトの物理セクタ８０が構成される。ＤＶＤ用にオーサリングされたコンテンツのディスクイメージデータを、ハードディスク５０や記録型大容量光ディスク７０上でユーザデータとして扱う場合には、サイズの大きな同期情報と誤り訂正符号は不要であり、光ディスク装置で記録する際に付加することもできる。したがって、ここではこれらを除いた２０６４バイトのセクタ８５のデータのみを記録することとした。これにより、ディスクイメージデータの記録容量を約１５％節約することができる。【００５８】
記録型大容量光ディスク９０では、映像データや音声データを扱うアプリケーション層におけるコンテンツデータへのアクセスには、データの最小単位として１８８バイトからなるパケットを使用している。映像データの圧縮や、圧縮したデータストリームの扱いにはＭＰＥＧ２規格が適用されており、ここで利用されるデータの最小単位が１８８バイトのパケットである。本発明でも、データの管理にこのパケットを使用し、扱うコンテンツの記録再生システム全体として一貫した取り扱いを可能とすることにより、システムの簡素化を図る。【００５９】
図１０は、トランスポートストリームの各パケット３００にパケットの管理情報であるパケットヘッダを付加して構成されたソースパケット３１０の構造を示す図である。図１０に示されるように、パケットヘッダには、仮にパケットの順が入れ替わっても元通りに整列できるようにするための番号が含まれている。また、１８８バイトのパケットに４バイトのパケットヘッダを付けて１９２バイトにすることにより、ディスク上の記録単位である２０４８バイトのセクタとより細かい単位でアライメントをとれるようになる。記録型大容量光ディスクのフォーマットにも適用されている。【００６０】
ここで、ＤＶＤのセクタと記録型大容量光ディスクのアクセス単位をできるだけ近付けることができる配置方法を説明する。ディスクイメージファイルに入ったＤＶＤ用にオーサリングされたコンテンツデータのセクタの区切りと、ディスクイメージファイルを書き込む記録型大容量光ディスクのアクセスの単位を所定の規則で合わせることにより、再生機器で記録型大容量光ディスクを再生するときのＤＶＤ用にオーサリングされたコンテンツデータの入った目的セクタへのアクセスを容易にできる。【００６１】
図１１は、２０６４バイトのセクタ８５のデータを１１パケット３００に格納する処理を示す図である。図１１に示されるように、１１パケットからなる２０６８バイトに１セクタからなる２０６４バイトのデータを格納すると、４バイトの端数がでる。【００６２】
図１２は、４８セクタのデータをパケット３００に格納する処理を示す図である。図１２に示されるように、４８セクタのデータを隙間なく詰めると、５２８パケットに、４８セクタのデータを格納し、（１パケット＋４バイト）の端数がでる。５２８パケットの２倍の１０５６パケットに、９６セクタのデータを格納すると、（２パケット＋８バイト）の端数がでる。ＤＶＤフォーマットでは、１６セクタをまとめてＥＣＣブロックとしているので、このようにアクセスの単位を１６セクタの整数倍とすると頭出しが容易になる。端数は、５２８パケットか１０５６パケットかの先頭部分にパディングして処理する。先頭にパディングしたパケットは、アクセスなどの制御情報を格納する制御パケット３０１として利用する。図１２には、制御パケット３０１を付加する単位を４８セクタとし、その４８セクタを含む単位（５２８パケットからなる単位）をセクタグループ３０２と呼ぶ。【００６３】
図１３は、３２ソースパケット３１０から１配列ユニット３２０が構成されることを示す図である。図１３に示されるように、９６セクタのデータから構成した１０５６ソースパケットから、３３配列ユニットに構成する。配列ユニット３２０は、記録型大容量光ディスク９０のセクタにデータを記録するときにできるだけ細かいサイズでセクタとソースパケット３１０の境界を一致させ、アクセス制御を簡素化するための単位である。このように配列ユニット３２０のサイズを設定することにより、１配列ユニットは６１４４バイトとなり、セクタサイズ２０４８バイトの記録型大容量光ディスクにおける３セクタに一致させることができる。【００６４】
図１４は、配列ユニット３２０、ＤＶＤのＥＣＣブロック、及び記録型大容量光ディスクのＥＣＣクラスタとの関係を示す図である。ＤＶＤのディスクイメージデータにおけるアクセスの最小単位は２０４８バイトのセクタであるが、１６セクタで誤り訂正の単位であるＥＣＣブロックを構成する。また、記録型大容量光ディスク９０では、ディスクへのアクセスの最小単位も２０４８バイトのセクタであるが、３２セクタで誤り訂正の単位であるＥＣＣクラスタを構成する。いずれのディスクも誤り訂正してデータを読み出す都合上、装置の動作ではＥＣＣブロックとＥＣＣクラスタがアクセスの単位となる。できるだけ細かい間隔でＥＣＣブロックとＥＣＣクラスタの境界を一致させてアクセス制御を簡素化したい。このため、１配列ユニットが記録型大容量光ディスクにおける３セクタに一致するとことと３２セクタでＥＣＣクラスタを構成することを考慮し、３２配列ユニットを単位にする。そうすると、３２配列ユニットが３ＥＣＣクラスタに相当することになる。【００６５】
図１４に示されるように、９６セクタから成る６ＥＣＣブロックが３２個、すなわち、ＤＶＤの１９２ＥＣＣブロック（３０７２セクタ）の集まりを単位としてＥＣＣブロックの区切りとＥＣＣクラスタの区切りが一致し、３２配列ユニットから成る３ＥＣＣクラスタが３３個、すなわち、記録型大容量光ディスクの９９ＥＣＣクラスタ（３１６８セクタ）の集まりに対応する。ここにＤＶＤ用にオーサリングされたコンテンツのディスクイメージデータが６，３４０，６０８バイト格納され、また、記録型大容量光ディスク９０上では、パケットの端数やパケットヘッダを含めて、ユーザデータのサイズは６，４８８，０６４バイトになる。【００６６】
このように、記録型大容量光ディスク９０に記録したＤＶＤ用にオーサリングされたコンテンツの再生に際して、ＤＶＤ用にオーサリングされたコンテンツ再生時に指示されるアクセス対象セクタが記録型大容量光ディスク９０上のどのソースパケットに当たるかを算出するとき、ＤＶＤ用にオーサリングされたコンテンツの１９２ＥＣＣブロックが記録型大容量光ディスク９０の９９ＥＣＣクラスタに対応するという整数比で換算できる関係を作ることができたので、アクセスに要するアドレス計算が容易になる。コンテンツ再生時のデータレートが毎秒１０Ｍビットであれば、約６Ｍバイトのデータは５秒程度の映像に相当する。この時間は、アクセス時の時間分解能として妥当な範囲内である。なお、ＥＣＣクラスタ単位で独立にデータの読み出しも可能であるので、さらに細かい時間精度でアクセスすることも容易である。以下、説明の簡単化のため、図１２乃至図１４に示されるようなパッキング方式を「４８セクタモード」と呼ぶ。【００６７】
次に、ＤＶＤのディスクイメージデータを記録型大容量光ディスク９０上にパッキングして収録する別の方法を説明する。記録型大容量光ディスクの記録単位にあわせて最も効率良く配置した場合を示す。記録型大容量光ディスク９０のデータへのアクセス用の情報を省略する場合である。図１１に示したように、セクタ長２０６４バイトのデータをパケットに格納するとき、１１パケットから成る２０６８バイトに、１セクタ２０６４バイトのデータを格納し、４バイトの端数がでる。【００６８】
図１５は、４７セクタのデータを５１６パケットに格納される場合を示す図である。図１５において、符号８５は、１個のセクタを示し、符号３００は、１個のパケットを示す。図１５示されるように、４７セクタのデータを隙間なく詰めると、５１６パケットに端数なしに格納できる。【００６９】
図１６は、３２ソースパケット３１０が１配列ユニット３２０を構成する例を示す図である。図１６に示されるように、３２ソースパケットで１配列ユニットを構成する場合には、４７セクタのソースパケット（５１６ソースパケット）を１６個集めて構成した８２５６ソースパケットが、２５８配列ユニットに相当する。【００７０】
図１７は、配列ユニット３２０、ＤＶＤのＥＣＣブロック、及び記録型大容量光ディスクのＥＣＣクラスタの関係を示す図である。図１７に示されるように、７５２セクタからなる４７ＥＣＣブロックが３２個、すなわち、ＤＶＤの１５０４ＥＣＣブロック（２４０６４セクタ）の集まりを単位としてＥＣＣブロックの区切りとＥＣＣクラスタの区切りが一致し、３２配列ユニットから成る３ＥＣＣクラスタが２５８個、すなわち、記録型大容量光ディスクの７７４ＥＣＣクラスタ（２４７６８セクタ）の集まりに対応する。ここにＤＶＤ用にオーサリングされたコンテンツのディスクイメージデータが４９，６６８，０９６バイト格納され、また、記録型大容量光ディスク９０上では、パケットの端数やパケットヘッダを含めて、ユーザデータのサイズは５０，７２４，８６４バイトになる。【００７１】
このように、記録型大容量光ディスク９０に記録したＤＶＤ用にオーサリングされたコンテンツの再生に際して、ＤＶＤ用にオーサリングされたコンテンツ再生時に指示されるアクセス対象セクタが記録型大容量光ディスク上のどのソースパケットに当たるかを算出するとき、ＤＶＤ用にオーサリングされたコンテンツの１５０４ＥＣＣブロックが記録型大容量光ディスク９０の７７４ＥＣＣクラスタに対応するという整数比で換算できる関係を作ることができた。パディングパケットがないので、アクセスに要するアドレス計算は容易である。コンテンツ再生時のデータレートが毎秒１０Ｍビットであれば、上記の約５０Ｍバイトのデータは４０秒程度の映像に相当する。アクセス時の時間分解能として、上述した図１４の例に比べて荒いが、使用可能な範囲であり、ＥＣＣクラスタ単位で独立にデータを読み出してさらに細かい時間精度でアクセスすることも同じく可能である。以下、説明の簡単化のため、図１６及び図１７に示されるパッキング方式を「４７セクタモード」と呼ぶ。【００７２】
この４７セクタモードによるパッキングの利点として、コンテンツサーバ側の負荷が軽くなることが挙げられる。ディスクイメージデータの形態について、コンテンツサーバが当初ＤＶＤへのダウンロード配信を主目的としてコンテンツを準備すると想定され、その場合には、上記の４８セクタモードによってパッキングされたデータがダウンロード配信されるケースは少ない想定される。その場合でも、ＤＶＤセクタ配置テーブル付きパディングパケットを付加する必要のない４７セクタモードであれば、元のＤＶＤ用にオーサリングされたコンテンツのディスクイメージデータをパッキングするだけでフォーマット変換処理は不要であり、コンテンツサーバ側で対応しやすく、導入促進が期待できる。【００７３】
以下に、図７に示したディスクイメージデータのファイル構成例を元にして、各ファイルの詳細な構成を説明する。２層ディスクの場合を説明すれば１層ディスクの場合は容易に理解できるので、２層ディスクのＤＶＤ用にオーサリングされたコンテンツ（＃２）１２を例にして説明する。【００７４】
図１８は、第１記録層と第２記録層を有する２層ＤＶＤの各領域とセクタ番号の関係を示す図である。図１８において、横軸は、ＤＶＤの半径方向を示し、縦軸は、セクタ番号（１６進数表記）を示す。図１８に直線１８ａで示されるように、２層ＤＶＤの第１記録層の記録トラックは、半径位置内周側のリードイン領域から始まる。セクタ番号は昇順で付番され、２層ＤＶＤの第１記録層の半径２４ｍｍの記録トラックのセクタが、３００００ｈとなり、かつ、このセクタがデータ領域の先頭セクタになるようデータ領域は配置される。ここで、「ｈ」は、１６進数を示す。第１記録層の記録トラックは、データ領域として外周側へ続き、外周端付近でデータ領域が中断して中間領域になる。第１記録層のデータ領域の末尾セクタのセクタ番号をＸｈとする。Ｘｈは、リードイン領域にある制御情報の中に記述される。データ領域は中断した半径位置で第２記録層の記録トラックに続く。図１８に直線１８ｂで示されるように、第２記録層のデータ領域の先頭セクタのセクタ番号は、Ｘｈの各ビットの値を反転した補数
【数１】
2008126493.tif 000003
であり、このセクタがＥＣＣブロックの先頭になる。第２記録層の記録トラックはデータ領域として内周側へ続き、内周端付近でデータ領域が終了してリードアウト領域になる。ダウンロードされるＤＶＤ用にオーサリングされたコンテンツは、図１８に示されるようなセクタ番号を持つセクタを含んだディスクイメージデータとなっている。【００７５】
図１９は、実施の形態１に係る情報記録装置３の動作を説明するための図であり、ディスクイメージデータの各ファイルに収録するデータの例を示す図である。図１９において、横軸は、セクタの並び順を示し、縦軸は、各セクタのセクタ番号を示す。図１９は、４８セクタモード（図１２）でパッキングした例を示すが、４７セクタモード（図１５）でパッキングすることもできる。【００７６】
図１９において「リードイン領域のデータ」と記載された部分のデータが、図７に示されるファイル“ｌｅａｄ−ｉｎ．ｄｉｔｓ”１２１のデータである。このデータは、１９２ＥＣＣブロック単位であり、記録型大容量光ディスクのアクセス単位であるＥＣＣクラスタ境界にアライメントがとれる。ＤＶＤのリードイン領域のデータは、ＤＶＤ規格に規定されているように、末尾の２５６ＥＣＣブロックのみに有意のデータがあり、それより前の部分のデータはすべてゼロで埋められている。したがって、ファイル“ｌｅａｄ−ｉｎ．ｄｉｔｓ”１２１のデータは、ＤＶＤ規格に規定された長さを確保した上で、末尾がＥＣＣクラスタ境界にアライメントがとれるように配置し、先頭部分はＥＣＣクラスタ境界とアライメントがとれるように配置してもよい。また、ファイル“ｌｅａｄ−ｉｎ．ｄｉｔｓ”１２１のデータは、ＤＶＤ規格に規定された長さを確保した上で、末尾がＥＣＣクラスタ境界にアライメントがとれるように配置せずに、適当な長さのパディングを付けてもよい。【００７７】
図１９において「第１記録層のデータ領域」と記載された部分のデータが、図７に示されるファイル“ｄａｔａ−ｌａｙｅｒ１．ｄｉｔｓ”１２５のデータである。このデータの先頭が、セクタ番号３００００ｈの先頭セクタであり、ここでＥＣＣクラスタ境界とアライメントをとり、以降のデータを１９２ＥＣＣブロック単位で記録型大容量光ディスクのアクセス単位であるＥＣＣクラスタ境界にアライメントをとって配置する。このデータの末尾となるセクタ番号ＸｈのセクタでＥＣＣクラスタ境界にアライメントがとれない場合は、図中に「パディング−１」２０１とあるようにパディングデータを挿入し、データの全長を１９２ＥＣＣブロックの整数倍、すなわち、記録型大容量光ディスクでは９９ＥＣＣクラスタの整数倍になる長さとして、両者で境界のアライメントがとれるようにする。「パディング−１」２０１に相当するセクタ数は、図１９に示されるように、Δ１セクタである。また、図１９に示されるように、「パディング−１」２０１の末尾セクタのセクタ番号は、（Ｘｈ＋Δ１）となる。【００７８】
図１９において「第２記録層のデータ領域」と記載された部分のデータが、図７に示されるファイル“ｄａｔａ−ｌａｙｅｒ２．ｄｉｔｓ”１２６のデータである。このデータの先頭がセクタ番号
【数２】
2008126493.tif 000004
のセクタであり、この例では、ここでＥＣＣクラスタ境界とアライメントをとり、以降のデータを第１記録層と同様に１９２ＥＣＣブロック単位でＥＣＣクラスタ境界にアライメントをとって配置する。このように構成すれば、ファイルの先頭から有意なデータが開始される。【００７９】
図２０は、ディスクイメージデータの各ファイルに収録するデータの別の例を示す図である。図２０において、横軸は、セクタの並び順を示し、縦軸は、各セクタのセクタ番号を示す。図２０は、４８セクタモード（図１２）でパッキングした例を示すが、４７セクタモード（図１５）でパッキングすることもできる。図２０においては、第２記録層のデータ領域のデータのファイル“ｄａｔａ−ｌａｙｅｒ２．ｄｉｔｓ”１２６において、有意なセクタの先頭となるセクタ番号
【数３】
2008126493.tif 000005
のセクタの前に、パディングデータを挿入している。「パディング−２」２０２に相当するセクタ数は、図２０に示されるように、Δ２セクタである。このようにオフセットを持たせて第２記録層のデータ領域の先頭セクタのセクタ番号を１９２の倍数となる
【数４】
2008126493.tif 000006
に調整することにより、ディスクイメージデータの先頭セクタをＥＣＣクラスタ境界とアライメントのとれるＥＣＣブロックとすることができる。図２０に示されるように構成すれば、セクタ番号からそのセクタの格納されているＥＣＣクラスタ位置を求める計算を単純化することができる。【００８０】
第１記録層のデータ領域の先頭セクタのセクタ番号３００００ｈは、１９２（すなわち、Ｃ０ｈ）の倍数になっている。第２記録層のデータ領域の先頭セクタのセクタ番号も１９２の倍数である
【数５】
2008126493.tif 000007
とすれば、両方の記録層とも共通の計算方法でセクタ位置の管理ができ、アクセス制御を簡単にすることができるようになる。計算方法は後述する。【００８１】
図２１は、ディスクイメージデータの各ファイルに収録するデータの別の部分の例を示す図である。図２１において、横軸は、セクタの並び順を示し、縦軸は、各セクタのセクタ番号を示す。図２１は、４８セクタモード（図１２）でパッキングした例を示すが、４７セクタモード（図１５）でパッキングすることもできる。この例では、第２記録層のデータ領域のデータのファイル“ｄａｔａ−ｌａｙｅｒ２．ｄｉｔｓ”１２６の末尾の処理を示している。データの末尾となるセクタ番号ＺｈのセクタでＥＣＣクラスタ境界にアライメントがとれない場合は、図２１に「パディング−３」２０３とあるようにパディングデータを挿入し、データの全長を１９２ＥＣＣブロックの整数倍の長さとして、ＥＣＣクラスタ境界とアライメントがとれるようにする。「パディング−３」２０３に相当するセクタ数は、図２１に示すようにΔ３セクタである。第２記録層のデータ領域の末尾にリードアウト領域が続くが、リードアウト領域のデータはすべてゼロで埋める規定になっていてアクセスの必要もないので、「パディング−３」２０３には、リードアウト領域の先頭セクタから必要な数のセクタだけ詰めればよい。【００８２】
図２１において「リードアウト領域」と記載された部分から上記の「パディング−３」２０３に用いた部分を除くデータが、図７に示されるファイル“ｌｅａｄ−ｏｕｔ．ｄｉｔｓ”１２９となる。リードアウト領域のデータは、ＤＶＤ規格に規定されている長さを確保し、データはすべてゼロで埋める。図７に示されるファイル“ｄａｔａ−ｌａｙｅｒ２．ｄｉｔｓ”１２６の末尾を前記のように処理すれば、先頭部分はＥＣＣクラスタ境界とアライメントがとれ、セクタ番号が１９２の倍数となっている。【００８３】
以上のように、データ領域のディスクイメージデータを第１記録層のデータと第２記録層のデータに分割し、第１記録層のデータ領域のディスクイメージデータのファイル“ｄａｔａ−ｌａｙｅｒ１．ｄｉｔｓ”１２５、第２記録層のデータ領域のディスクイメージデータのファイル“ｄａｔａ−ｌａｙｅｒ２．ｄｉｔｓ”１２６、それぞれの端末処理を工夫することにより、ＤＶＤ用にオーサリングされたコンテンツのディスクイメージデータへのアクセス制御がより簡単になる。【００８４】
また、１層ディスクの場合は、上記２層ディスクの場合より簡単であり、データ領域もリードアウト領域も第１記録層だけにある。図７の１層ディスクのＤＶＤ用にオーサリングされたコンテンツ（＃１）１１を例にすれば、データ領域のディスクイメージデータのファイル“ｄａｔａ−ｌａｙｅｒ．ｄｉｔｓ”１１２は上記の第１記録層のデータ領域のディスクイメージデータのファイル“ｄａｔａ−ｌａｙｅｒ１．ｄｉｔｓ”１２５と同様に格納処理し、それに続けて、リードアウト領域のデータのファイル“ｌｅａｄ−ｏｕｔ．ｄｉｔｓ”１１９を付ける。【００８５】
また、ファイル構造の異なる図６に示した例の場合も、各領域のディスクイメージデータのファイルを上記と同様に格納処理すればよい。ファイルシステム−１領域とユーザファイル領域の境界、ユーザファイル領域とファイルシステム−２領域の境界、それぞれにおいて１９２ＥＣＣブロック単位でのＥＣＣクラスタ境界とのアライメントをとる。【００８６】
図２２は、ＤＶＤのセクタ番号からそのセクタの格納されている記録型大容量光ディスクのＥＣＣクラスタ番号を算出する方法を示す図である。図２２には、例として、ＤＶＤ用にオーサリングされたコンテンツの第１記録層のデータ領域のサイズを、ＥＣＣブロック数が１９２の倍数（ここでは、６８８倍）になるようしており、
１９２×６８８＝１３２，０９６  ブロック
となる。したがって、ＤＶＤ用にオーサリングされたコンテンツの第１記録層のデータ領域のサイズは、セクタ数で
１３２，０９６×１６＝２，１１３，５３６  セクタ
となり、記録容量で約４．３Ｇバイトとする。セクタ番号は３００００ｈから２３３ＦＦＦｈまでとなる。すなわち、
Ｘｈ＝２３３ＦＦＦｈ
である。また、第２記録層のデータ領域のサイズも同一とすると、そのセクタ番号は、ＤＣＣ０００ｈからＦＣＦＦＦＦｈまでとなる。すなわち、
【数６】
2008126493.tif 000008
Ｚｈ＝ＦＣＦＦＦＦｈ
である。また、パディングが必要ないので、Δ１＝０、Δ２＝０、Δ３＝０、となる。【００８７】
このＤＶＤ用にオーサリングされたコンテンツの第１記録層データ領域のＥＣＣブロックに対応する記録型大容量光ディスクのＥＣＣクラスタが、ディスク上のＥＣＣクラスタ番号
Ｐｈ＝１０００００ｈ
で開始しているとする。ＥＣＣブロック数１３２，０９６に対応するＥＣＣクラスタ数は
９９×６８８＝６８，１１２  クラスタ
となるので、そのＥＣＣクラスタ番号は、１０００００ｈから１１０Ａ０Ｆｈまでとなる。また、ＤＶＤ用にオーサリングされたコンテンツの第２記録層のデータ領域のＥＣＣブロックに対応するＥＣＣクラスタが、ディスク上のＥＣＣクラスタ番号Ｑｈで開始しているとする。第１記録層のデータ領域の最終ＥＣＣクラスタに続いて第２記録層のデータ領域のＥＣＣクラスタを配置するようにファイルを記録すると
Ｑｈ＝１１０Ａ１０ｈ
であり、ＥＣＣクラスタ数が
９９×６８８＝６８，１１２
であることから、そのＥＣＣクラスタ番号は、１１０Ａ１０ｈから１２１４１Ｆｈまでとなる。【００８８】
ＤＶＤ用にオーサリングされたコンテンツのセクタが第１記録層データ領域と第２記録層データ領域のいずれにあるかは、そのセクタ番号が８０００００ｈ未満か又は以上か、によって判断できる。層間のセクタ番号のギャップのサイズは
【数７】
2008126493.tif 000009
で求まるので、セクタ番号が８０００００ｈ以上の場合にセクタ番号から
【数８】
2008126493.tif 000010
を差し引くようにすれば、第１記録層と第２記録層のセクタ番号を連続化して、第１記録層と第２記録層のデータ領域のセクタに共通の計算式を適用できる。【００８９】
Ｓを、ＤＶＤ用にオーサリングされたコンテンツのセクタ番号とし、
Ｓ´を、ＤＶＤ用にオーサリングされたコンテンツのセクタ番号（第１記録層と第２記録層を連続化したもの）とし、
Ｘを、ＤＶＤ用にオーサリングされたコンテンツの第１記録層のデータ領域の最終セクタ番号とし、
【数９】
2008126493.tif 000011
を、ＤＶＤ用にオーサリングされたコンテンツの第２記録層のデータ領域の先頭セクタ番号（Ｘをビット反転した補数）とし、
Ｚを、ＤＶＤ用にオーサリングされたコンテンツの第２記録層のデータ領域の最終セクタ番号とし、
Ｂを、ＤＶＤ用にオーサリングされたコンテンツのＥＣＣブロック番号とし、
Ｐを、ＤＶＤの第１記録層データ領域を格納した記録型大容量光ディスクの先頭ＥＣＣクラスタ番号とし、
Ｑを、ＤＶＤの第２記録層データ領域を格納した記録型大容量光ディスクの先頭ＥＣＣクラスタ番号とし、
Ｃを、記録型大容量光ディスクのＥＣＣクラスタ番号とする。【００９０】
ｉ）Ｓ＜８００００ｈのとき、
Ｓ´＝Ｓ
Ｃ＝［［（Ｓ´−３００００ｈ）／１０ｈ］×（９９／１９２）］＋Ｐ
となる。
ｉｉ）Ｓ≧８００００ｈのとき、
【数１０】
2008126493.tif 000012
Ｃ＝［［（Ｓ´−３００００ｈ）／１０ｈ］×（９９／１９２）］＋Ｑ
によって、ＳからＣを求めることができる。
ここで、記号［ａ］は、ａの小数点以下を切り捨てる演算を示す。
また、
［（Ｓ−３００００ｈ）／１０ｈ］＝Ｂ
である。【００９１】
以上の例は、パディングがなく、Δ１＝０、Δ２＝０、Δ３＝０、の場合であったが、パディングがある場合には、Ｘｈを（Ｘｈ＋Δ１）で、
【数１１】
2008126493.tif 000013
を
【数１２】
2008126493.tif 000014
で、それぞれ置き換えればよい。上記と同様に、ＥＣＣブロック境界とＥＣＣクラスタ境界のアライメントをとってセクタ番号に対応したＥＣＣクラスタ番号を算出することができる。【００９２】
図２３は、ＤＶＤのセクタの配置テーブルの構成を示す図である。図１２に示されるように、４８セクタからなる各セクタグループ３０２は、１パケットの制御パケット３０１を有し、制御パケット３０１は、コンテンツの別のセクタを含む配列ユニットやＥＣＣクラスタへのアクセス用の制御情報を格納する。制御パケット３０１の制御情報は、ＤＶＤ用にオーサリングされたコンテンツの再生時にアクセス対象となるＤＶＤのセクタ番号が与えられたとき、そのセクタのデータが格納されている記録型大容量光ディスクのＥＣＣクラスタや配列ユニットの位置を素早く算出するための情報である。【００９３】
ＤＶＤ用にオーサリングされたコンテンツのセクタ番号からアクセス対象となる記録型大容量光ディスクのＥＣＣクラスタ番号を計算する方法を上述したが、ここで利用する情報を以下のように制御パケット３０１に格納する。
図２３において、
Ｘは、ＤＶＤイメージの第１記録層のデータ領域の最終セクタ番号であり、
Ｚは、ＤＶＤイメージの第２記録層のデータ領域の最終セクタ番号であり、
Δ１は、ＤＶＤイメージの第１記録層のデータ領域の末尾のパディングのセクタ数であり、
Δ２は、ＤＶＤイメージの第２記録層のデータ領域先頭のパディングのセクタ数であり、
Δ３は、ＤＶＤイメージの第２記録層のデータ領域末尾のパディングのセクタ数であり、
Ｐは、ＤＶＤイメージの第１記録層のデータ領域の先頭を格納したＥＣＣクラスタ番号であり、
Ｑは、ＤＶＤイメージの第２記録層のデータ領域の先頭を格納したＥＣＣクラスタ番号であり、
Ｃは、セクタグループ（図１２の３０２）の先頭セクタを格納したＥＣＣクラスタ番号である。
なお、ＥＣＣクラスタに記録するとき、パケットが分断される場合も考慮して、「セクタグループの先頭セクタ」は、対象セクタの先頭バイトを含むパケットの先頭部分のことをいうこととする。【００９４】
第１記録層のデータ領域のディスクイメージデータは、ファイルシステム−１領域７３と、ユーザファイル領域７４のうち第１記録層のデータ領域のデータを含む。第２記録層のデータ領域のディスクイメージデータは、ユーザファイル領域７４のうち第２記録層のデータ領域と、ファイルシステム−２領域７８のデータを含む。ファイルシステム領域とユーザファイル領域の区切りがすぐにわかるようにしておけば、ファイルシステムのデータ管理やユーザファイルへのアクセスが容易になる。そのために制御パケット３０１に以下の情報Ｕ及びＶを格納する。
Ｕは、ＤＶＤイメージの第１記録層ユーザファイル領域先頭を格納したＥＣＣクラスタ番号であり、
Ｖは、ＤＶＤイメージの第２記録層ファイルシステム領域先頭を格納したＥＣＣクラスタ番号である。【００９５】
以上の１０種類の情報を各４バイトの長さで表現し、パケット先頭に４バイトのパケット識別コードＩＤを付加し、これら合計４４バイトを１８８バイトの制御パケット３０１に格納する。この情報は、セクタグループ（図１２の符号３０２）毎に細かく配置されるので、フォーマットの異なる記録型大容量光ディスク上のデータに素早くアクセスすることが可能になる。なお、パラメータＣで示すＥＣＣクラスタ番号については、８バイトの長さで表現し、より大容量のＨＤＤへの記録に対応可能としてもよい。【００９６】
以上に説明したように、実施の形態１の情報記録装置及び情報記録方法によれば、ＤＶＤ用にオーサリングされたコンテンツを再オーサリングすることなくダウンロード配信に利用することが可能になるので、コンテンツの再オーサリングのためのコストが削減でき、コンテンツを安価に供給することが可能になる。【００９７】
また、実施の形態１の情報記録装置及び情報記録方法によれば、ユーザがダウンロードしたＤＶＤ用にオーサリングされた複数のコンテンツを大容量光ディスクに記録可能になり、また、大容量光ディスクに記録する複数タイトルのコンテンツをユーザが自由に組み合わせることが可能になる。【００９８】
また、実施の形態１の情報記録装置及び情報記録方法により記録された大容量光ディスク又はこの大容量光ディスクの情報再生装置及び情報再生方法によれば、複数タイトルのＤＶＤ用にオーサリングされたコンテンツを記録した大容量光ディスクにおいても、コンテンツ再生時のアクセス性能を向上し、早送りや早戻しの速度や滑らかさ、スキップやジャンプの早さ、所望部分の頭出し時間の短縮など、各種の特殊再生を行う際のアクセス性能を良くすることが可能になる。【００９９】
また、実施の形態１の情報記録装置及び情報記録方法によれば、ＤＶＤ用の所定の方式に加えて、大容量光ディスク用の所定の著作権保護方式を適用して保護するようにしたので、コンテンツの著作権をより強く保護することが可能となる。【０１００】
また、実施の形態１の情報記録装置及び情報記録方法によれば、ＤＶＤの特定領域へのアクセスを制限する制御情報を付加したので、不正アクセス防止による著作権保護を強化することが可能となる。【０１０１】
実施の形態２．
実施の形態１においては、図９に示されるように、２４１８バイトの物理セクタ８０の領域のうち、１２バイトのヘッダ領域８１、２０４８バイトのメインデータ８２、及び４バイトの誤り検出符号８３からなるセクタ長２０６４バイトのセクタ８５のみを、ＤＶＤ用にオーサリングされたコンテンツのディスクイメージデータとしてハードディスク５０及び記録型大容量光ディスク９０に記録し、物理セクタ８０に含まれる３０２バイトの誤り訂正符号（ＥＣＣ）８７と５２バイトの同期情報（ＳＹＮＣ）８６は、記録型ＤＶＤ７０にディスクイメージデータを記録するときに、光ディスク装置６０が付加する態様を例示した。しかし、物理セクタ８０に含まれる誤り訂正符号８７と同期情報８６をディスクイメージデータに含めておけば、記録型ＤＶＤ７０にディスクイメージデータを記録するときに、光ディスク装置６０は誤り訂正符号化処理などを省略することができ、光ディスク装置６０における制御動作を簡略化することができる。【０１０２】
そこで、実施の形態２においては、ディスクイメージデータに、セクタ８５のほかに、誤り訂正符号８７及び同期情報８６を含むようにした場合に、ＤＶＤのセクタ８５と記録型大容量光ディスク９０のアクセス単位を、できるだけ近付けることができる配置方法を説明する。【０１０３】
実施の形態２においては、図１０に示されるように、データの管理に１８８バイトのパケット３００を使用し、パケット３００に４バイトのパケットヘッダを付加してソースパケット３１０を構成する。この点は、実施の形態１の場合と同じである。その上で、ＤＶＤのセクタと記録型大容量光ディスク９０のアクセス単位をできるだけ近付けることができるように配置する。【０１０４】
実施の形態２の記録方法は、主に記録型ＤＶＤ７０へ記録するときの処理を簡略化することを狙っている。ただし、実施の形態２の記録方法を用いれば、記録型大容量光ディスク９０においても、ディスクイメージファイルに入ったＤＶＤ用にオーサリングされたコンテンツのデータのセクタの区切りと、ディスクイメージファイルを書き込む記録型大容量光ディスクのアクセスの単位とを、所定の規則で合わせるときの規則が簡単になるので、再生機器で記録型大容量光ディスク９０を再生するときにＤＶＤ用にオーサリングされたコンテンツデータの入った目的セクタへのアクセスも容易になる。したがって、実施の形態２の記録方法を適用する記録媒体には、一次記録手段５に備えられたハードディスク５０、二次記録手段６に備えられた記録型ＤＶＤ７０のほか、記録型大容量光ディスク９０も含まれる。【０１０５】
図２４は、本発明の実施の形態２に係る情報記録装置の動作を説明するための図であり、ＤＶＤのセクタ８５、ＥＣＣブロックのデータ処理方法（破線部分２１１，２１２，２１３）、及び、パケットへの格納方法（破線部分２１４）を示す。【０１０６】
図２４の上部の破線部分（楕円で囲われた部分）は、図９によって既に説明された、ヘッダ領域８１、メインデータ８２、及びＥＤＣ８３からなるセクタ８５である。実施の形態２においては、まず、図２４中の矢印Ａに沿い、１６セクタを集めてＥＣＣブロックを構成する。図２４の左側中央の破線部分（ＥＣＣブロック）２１１に示されるように、まず各セクタのデータを１７２バイト×１２行に並べ、１６セクタ（すなわち、セクタ＃１〜＃１６）のデータにより、１７２バイト×１９２行の行列を構成する。この行列の各行に対して、各１０バイトの内パリティ（ＰＩ）８８を生成し、各行末尾に付加する。次に、内パリティ（ＰＩ）８８を含めて１８２バイト×１９２行となった行列の各列に対して、各１６バイトの外パリティ（ＰＯ）８９を生成し、各列末尾に付加する。【０１０７】
次に、図２４の矢印Ｂに沿い、同図の右側中央の破線部分（ＥＣＣブロック内でＰＯをインターリーブ）２１２に示されるすように、合計で１６行生成された外パリティ（ＰＯ）８９を、１行ずつに分けて、各セクタ（すなわち、セクタ＃１〜＃１６）の行の後に移動し挿入するインターリーブ処理を行う。物理セクタに記録するデータは、各セクタ１８２バイト×１２行のセクタ８５及び内パリティ（ＰＩ）８８と、１８２バイト×１行の外パリティ（ＰＯ）８９の合計１８２バイト×１３行となる。各物理セクタ当たり、１２０バイトの内パリティ（ＰＩ）８８と、１８２バイトの外パリティ（ＰＯ）８９の合計３０２バイトが、図９に示される誤り訂正符号（ＥＣＣ）８７である。【０１０８】
次に、図２４の矢印Ｃに沿い、同図の右側下部の破線部分（同期情報の挿入）２１３に示されるように、１３行の物理セクタの各行をそれぞれ９１バイトずつに２分割し、その先頭と中央に各２バイト相当の長さを持つ同期情報８６を挿入する。この結果、各行は１８６バイト長となる。この各行のことを同期フレームと呼ぶ。【０１０９】
最後に、図２４の矢印Ｄに沿い、同図の左側下部の破線部分（パケットへの分割・格納）２１４に示されるように、１８６バイト×１３行の物理セクタの各行、すなわち、同期フレームを、それぞれ１８８バイト長のパケット３００に格納することによって、１８８バイト長のパケット（すなわち、パケット＃１〜＃１３）３００が１３行生成される。パケット長が１８８バイトであり、同期フレームは１８６バイトであるので、各パケットについて端数バイトとして２バイトが余る。【０１１０】
以上のようにして、ＥＣＣブロックを構成する全てのセクタを同じ規則で分割してパケットに格納する。このようにパッキングすることにより、セクタという最短のアクセス単位で処理を行うことができるので、制御がきわめて簡略化できる。また、同期フレームの単位でディスクイメージデータをパケットに格納するので、ハードディスク５０や記録型大容量光ディスク９０に記録した場合でも、ＤＶＤにおけるデータの処理単位とハードディスク５０や記録型大容量光ディスク９０における処理単位が一致し、アクセス制御がさらに簡単になる利点が生まれた。このとき、端数バイトも僅かであり、物理セクタの全データを１３パケット（すなわち、図２４に示されるパケット＃１〜＃１３）に効率よく格納することができる。【０１１１】
なお、実施の形態２においては、１パケットに格納する１行の同期フレームのデータを、同期情報８６を含めて１８６バイトとした。ここで同期情報８６は、記録型ＤＶＤ７０への記録時にほかのデータや誤り訂正符号８７と異なる処理を受ける。すなわち、同期情報８６は、光ディスク装置６０において、データをディスクに記録するためにデータからチャネルビットへ変調する時に、チャネルビットのパターンとして付加されるものであって、このチャネルビットのパターンは、データをチャネルビットへ変調する時に出現しないユニークなものとされている。１箇所につきデータ２バイトに相当する長さを持つが、データの値として表現できるものではない。したがって、ディスクイメージデータとして表すには、パケット中の同期情報が入る特定バイト位置のデータに対してのみ、同期情報として認識するための特殊な規則が必要になる。こうした処理は汎用性を欠くことになるので、制御の複雑化を避けるためにはできれば省略したい処理である。同期情報８６は、光ディスク装置６０でディスクにディスクイメージデータを記録するときに付加するようにすることもできる。この方がシステムを簡素化できることになる。この場合、１パケットに格納する同期フレーム１行のデータは、１８２バイトになる。１パケット当たり、端数として６バイト余ることになる。【０１１２】
図２５は、２４１８バイトの物理セクタ８０のデータを１３パケット３００に格納する構成を示す図である。１パケットに同期フレーム１行に対応する１８６バイトのデータを格納し、１物理セクタのデータを１３パケット（すなわち、図２５に示されるパケット＃１〜＃１３、パケット＃１４〜＃２６、…、パケット＃１９６〜＃２０８）に格納する。このとき各パケットで余る端数の２バイトは、制御情報を格納する。ＤＶＤフォーマットでは１６セクタをまとめてＥＣＣブロックとしているので、２０８パケット（すなわち、図２５に示されるパケット＃１〜＃２０８）が１ＥＣＣブロックに相当する。このように、１パケットに同期フレーム１行を格納すると、アクセスの単位となるセクタでも、ＥＣＣブロックでも、ディスクイメージデータの単位がパケットの単位と一致するので、コンテンツ再生時の頭出しが非常に容易になる。各パケットで余った２バイトの端数は、まとめると１セクタ当たり２６バイト、１ＥＣＣブロック当たり４１６バイトになる。これを、セクタ毎、ＥＣＣブロック毎にまとめてアクセスなどの制御情報を格納する制御バイト領域３３０として利用する。【０１１３】
制御バイト領域３３０のバイト名称を、図２５に示すように、ａ１〜ａ２０８、ｂ１〜ｂ２０８とする。具体的には、ＥＣＣブロックを構成する各パケットの先頭バイトに対して、先頭パケット＃１の先頭バイトから順に、ａ１，ａ２，ａ３，・・・と最終パケット＃２０８の先頭バイトａ２０８まで付番する。同様に、各パケットの第２バイトに対して、先頭パケット＃１の第２バイトから順に、ｂ１，ｂ２，ｂ３，・・・と、最終パケット＃２０８の第２バイトｂ２０８まで付番する。このように構成した制御バイト領域３３０の各バイトの機能は、図２８に後述する。なお、ディスクイメージデータとして同期情報８６を含まず、１パケットに格納する同期フレーム１行のデータを１８２バイトとする場合には、各パケットの先頭の６バイトを制御バイトとして扱えばよい。【０１１４】
図２６は、１３配列ユニット３２０（すなわち、配列ユニット＃１〜＃１３）が４１６ソースパケット３１０から構成されることを示す図である。図２６に示されるように、１個の配列ユニット３２０は、３２個のソースパケット３１０から構成される。３２個のセクタのデータから構成された４１６個のソースパケット（すなわち、ソースパケット配列ユニット＃１〜＃１３）は、１３個の配列ユニット３２０（すなわち、配列ユニット＃１〜＃１３）を構成する。【０１１５】
図２７は、実施の形態２に係る情報記録装置の動作を説明するための図であり、配列ユニット、ＤＶＤのＥＣＣブロック、及び記録型大容量光ディスクのＥＣＣクラスタの関係を示す図である。図２７は、４１６個の配列ユニット３２０（すなわち、配列ユニット＃１〜＃４１６）と、ＤＶＤのＥＣＣブロックと、記録型大容量光ディスクのＥＣＣクラスタとの関係を示す。【０１１６】
図２７に示されるように、ＤＶＤのＥＣＣブロックについては、３２セクタから２ＥＣＣブロックが構成され、２ＥＣＣブロックが３２個、すなわち、６４ＥＣＣブロック（３２セクタ×３２個＝１０２４セクタ）の集まりをＥＣＣブロックの区切りとする。また、図２７に示されるように、記録型大容量光ディスクについては、３２配列ユニットから成る３ＥＣＣクラスタが１３個、すなわち、大容量光ディスクの３９ＥＣＣクラスタ（１２４８セクタ）の集まりに対応する。すなわち、３２セクタから成る２ＥＣＣブロックが３２個、すなわち、ＤＶＤの６４ＥＣＣブロック（３２セクタ×３２個＝１０２４セクタ）の集まりを単位としてＥＣＣブロックの区切りと、ＥＣＣクラスタの区切りが一致する。ＤＶＤ用にオーサリングされたコンテンツのディスクイメージデータが、
２４１８バイト×１６×６４＝２，４７６，０３２  バイト
格納され、また、大容量光ディスク上では、パケットの端数やパケットヘッダを含めてユーザデータのサイズは、
２０４８バイト×３２×３９＝２，５５５，９０４  バイト
になる。【０１１７】
このように、記録型大容量光ディスクに記録したＤＶＤ用にオーサリングされたコンテンツの再生に際して、ＤＶＤ用にオーサリングされたコンテンツ再生時に指示されるアクセス対象セクタが記録型大容量光ディスク上のどのソースパケットに当たるかを算出するとき、ＤＶＤ用にオーサリングされたコンテンツの３２ＥＣＣブロックが記録型大容量光ディスクの３９ＥＣＣクラスタに対応するという、さらに簡単な整数比で換算できる関係を作ることができたので、アクセスに要するアドレス計算が容易になる。コンテンツ再生時のデータレートが毎秒１０Ｍビットであれば、上記の約２．５Ｍバイトのデータは２秒弱の映像に相当する。この時間は、アクセス時の時間分解能として妥当な範囲内である。なお、ＥＣＣクラスタ単位で独立にデータの読み出しも可能なので、さらに細かい時間精度でアクセスすることも容易である。このパッキング方式を「３２セクタモード」と呼ぶ。【０１１８】
図２８及び図２９は、制御バイト領域３３０の構成を示す図である。制御バイト領域３３０に格納する情報は、図２３に示される各パラメータと同様である。ただし、図２３に示される各パラメータは、一つの制御パケット３０１にまとめられたものであるが、図２８及び図２９に示されるす制御バイト領域３３０は、各パケットに２バイトずつ分散しているバイトを、ＥＣＣブロック単位に集めたものである。また、パケットとセクタが１対１に対応している特徴を生かし、各パケットを格納しているセクタの属性をセクタ単位で示す情報を加えている。【０１１９】
図２８は、制御バイト領域の先頭バイトのパラメータの定義を示す。図２８において、バイト名の定義は、図２５に示したものと同じである。図２８には。セクタを単位とする１３バイトで完結し、各セクタに関する情報を示す。図には代表例として、各ＥＣＣブロック先頭セクタの場合、すなわち、制御バイトａ１からａ１３の定義を記載した。第２セクタ以降も先頭セクタにおけるバイト配置と同じ順に同じパラメータを割り付ける。制御バイトａ１４からａ２０８までと、ａ１からａ１３までとの対応関係は、図２８の下側に示す通りである。【０１２０】
図２８に示されるように、制御バイトａ１とａ２は、パケット識別コードを示すＩＤである。制御バイトａ３のＡｒｅａが、このセクタが属するＤＶＤの領域、すなわち、ＤＶＤのディスクフォーマット上で、リードイン領域、ファイルシステム−１領域、ユーザファイル領域、ファイルシステム−２領域、リードアウト領域のいずれの領域にあるディスクイメージのセクタかを示す。パケットの制御バイトＡｒｅａによって、アクセスしようとするディスクイメージデータセクタがＤＶＤのリードイン領域に相当する部分のデータであるかどうか即座にわかるので、この領域へアクセスする権限のないユーザからのアクセスであったとき、アクセスを無効にして不正アクセスを防止し、著作権の保護を強化することができる。制御バイトａ４のＳｃｐが、このセクタの暗号化の状態、すなわち、このセクタがＣＳＳで暗号化されたセクタかどうかを示す。アクセスしようとするディスクイメージデータのセクタがＣＳＳで暗号化されたセクタであるかどうか即座にわかるので、復号に際して処理の効率化を図ることができる。制御バイトａ５からａ１２の８バイトであるＣが、このセクタを格納したＥＣＣクラスタ番号を示す。図２３に示したＣとの差は、セクタグループという単位でなく、このパケットが格納するセクタ自体に対応するＥＣＣクラスタ番号を示す点である。これによって、前記したようにセクタ単位で細かなアクセス制御が可能になる。コンテンツ再生時のアクセス性能を向上し、早送りや早戻しの速度や滑らかさ、スキップやジャンプの早さ、所望部分の頭出し時間の短縮など、各種の特殊再生を行う際のアクセス性能を良くすることができる。【０１２１】
図２９は、制御バイト領域の第２バイトのパラメータの定義を示している。図２９の内容は、図２３に示して説明したとおりであり、パラメータＣ以外は図２３と同じパラメータにそれぞれ４バイトずつ割り当てた場合を示している。【０１２２】
実施の形態３．
実施の形態３においては、図１に示したコンテンツサーバ１上のコンテンツの形態と、これらのコンテンツをネットワーク２を経由して、ユーザの情報記録装置３に伝送するときの処理（情報伝送装置及び情報伝送方法）を説明する。また、このように伝送された情報をＤＶＤに記録するときの処理方法（情報記録装置及び情報記録方法）も説明する。【０１２３】
実施の形態３に係る情報伝送装置又は方法においては、映像信号を含むコンテンツデータを圧縮符号化してプログラムストリームに変換し、前記プログラムストリームを、記録媒体のセクタに格納する単位である一定長のパックに分割し、前記パックに分割されたデータを、所定数のセクタで誤り訂正ブロックを構成して誤り訂正符号化し、記録媒体上のトラックヘの記録順にしたがって配列した、前記誤り訂正符号化されたデータを、トランスポートストリームのパケットに格納する単位に区切り、パケット単位で前記トランスポートストリームを伝送し、誤り訂正符号化されたデータを、トランスポートストリームのパケットに格納する単位に区切る際に、トランスポートストリームのパケットに格納する単位を、誤り訂正ブロックを構成して誤り訂正符号化するときの誤り訂正符号語としている。【０１２４】
また、実施の形態３に係る情報記録装置又は方法においては、映像信号を含むコンテンツデータを圧縮符号化してプログラムストリームに変換し、前記プログラムストリームを、記録媒体のセクタに格納する単位である一定長のパックに分割し、前記パックに分割されたデータを、所定数のセクタで誤り訂正ブロックを構成して誤り訂正符号化し、記録媒体上のトラックヘの記録順にしたがって配列した、前記誤り訂正符号化されたデータを、トランスポートストリームのパケットに格納する単位に区切り、パケット単位で前記トランスポートストリームを伝送されるデータを記録媒体に記録し、前記データを記録媒体に記録する際に、所定数の連続した前記パケットを変換単位として整数個の誤り訂正クラスタを構成し、前記変換単位の区切りと前記誤り訂正クラスタの区切りが一致する長さを単位として前記トランスポートストリームのデータを記録し、又は、前記トランスポートストリームのデータの末尾が、前記変換単位及び前記誤り訂正クラスタの一致した区切りで完結するよう必要に応じてデータをパディングする。【０１２５】
実施の形態３に係る情報伝送装置及び方法、並びに、情報記録装置及び方法を以下に詳細に説明する。オーサリングを終えたＤＶＤコンテンツは、映像データ、音声データ、サブ映像データが、それぞれデータの種類毎に別々のストリームとして構成された後、記録媒体に格納するための単位であるパックに分割される。例えば、映像データは、映像符号化する際に扱う単位であるＧＯＰ毎に映像符号化されるが、映像符号化データのストリームは、２０４８バイトの長さ毎に映像データパックに区分される。末尾のパックに端数が出た場合は、２０４８バイト長のパックが完結するように無意のデータピットを付け足している。同様に、音声データは、音声符号化する際に扱う単位である音声フレーム毎に音声符号化され、音声符号化データのストリームは、２０４８バイトの長さ毎に音声データパックに区分される。また同様に、字幕などのデータを表現するサブ映像データも、サブ映像符号化データのストリームを２０４８バイトの長さ毎にサブ映像データパックに区分される。【０１２６】
このように、データの種類毎に別々のストリームとして構成した各符号化データを、伝送したり記録媒体上に記録したりするために、１次元の軸上で多重化するときに、ＤＶＤではプログラムストリーム方式を利用する。すなわち、２０４８バイトの一定長のパックに分割したそれぞれのストリームを、パックを単位として適切な順序で並べることによって多重化ストリームを構成する。このほか、これらの映像や音声を再生するときの順序を指定する制御データや、特殊再生を行なったり検索したりするとき利用するアクセス情報などの制御データも、２０４８バイト長の制御データパックに格納するよう構成され、上記多重化ストリームのパック列中に配置される。【０１２７】
こうしてオーサリングされたデータは、ＤＶＤのディスクに記録するとき、１パックを１セクタに格納する。上記の各パックが、図９に示した各セクタのメインデータ８２の中に格納されることになる。このほかに各セクタには、１２バイトのヘッダ領域８１、４バイトの誤り検出符号８３が付加され、さらに、図２４に示した処理に従ってＥＣＣブロック２１１を構成するときに、誤り訂正符号（ＥＣＣ）８７が計算され、そのセクタに配分された部分が挿入される。【０１２８】
また、記録型大容量光ディスク９０では、図１０に既述したように、映像データや音声データを扱うアプリケーション層においてコンテンツデータへアクセスするときには、データ管理の最小単位として１８８バイトからなるパケット３００を使用している。前記の各実施の形態では、このデータ管理の最小単位に合わせるため、ＤＶＤコンテンツのデータを記録型大容量光ディスク９０やＨＤＤ５０に記録するとき、そのデータ管理の単位としてパケット３００を使用し、一貫した取り扱いを可能とすることにより、コンテンツの記録再生システム全体としてのシステム構成を簡素化した。【０１２９】
また、一般に、ネットワークを経由してデータを伝送するときのデータ長の最小単位は、１８８バイトからなる伝送パケット３４０であることが多い。そこで、実施の形態３では、コンテンツサーバ１がＤＶＤコンテンツを配信するときのストリームの処理を以下のように構成することによって、コンテンツの配信・記録システム全体として効率的な処理を実現する。実施の形態３の要点は、コンテンツサーバ１が、プログラムストリーム方式でオーサリンゲされたＤＶＤコンテンツを、情報記録装置３で記録するためにネットワーク２へ送り出すときに、予めその伝送パケット３４０の構成を、ＨＤＤ５０や記録型大容量光ディスク９０に記録するときのパケット３００の構成に合わせるようにすること、並びに、その伝送パケット３４０とパケット３００の構成を、ＤＶＤの誤り訂正符号の処理単位と関連付けるようにすることである。【０１３０】
図３０は、コンテンツサーバ１がＤＶＤコンテンツをネットワーク２へ送り出すときの伝送パケット３４０の生成法を示す図である。コンテンツサーバ１上でオーサリングされたＤＶＤコンテンツのデータは、図２４で説明した手順と同じ手順に則って誤り訂正符号化される。まず、図２４に示されるように、矢印Ａに沿って内パリティ（ＰＩ）８８と外パリティ（ＰＯ）８９を生成・付加してＥＣＣブロック２１１を構成し、次に、矢印Ｂに沿って外パリティ（ＰＯ）８９を１行ずつ各セクタに挿入するインターリーブ処理を行い、ＰＯをインターリーブしたＥＣＣブロック２１２を構成する。インターリーブしたＥＣＣブロック２１２では、図２４に示す１２行と１行の計１３行から成る１組が１物理セクタに対応するデータとなる。【０１３１】
このようにしてコンテンツサーバ上に、ＥＣＣブロックを単位として格納されたＤＶＤコンテンツのデータに対して、図３０中の矢印Ｅに沿って、コンテンツのデータ１パックに相当するデータを格納した１物理セクタ分のデータを、１３個の伝送パケット３４０に分割する。各伝送パケット３４０には、ＥＣＣブロック１行、すなわち、１８２バイトのデータを含む。【０１３２】
伝送パケット３４０をこのように構成したので、各伝送パケット３４０の中に、ＥＣＣブロックを構成する誤り訂正符号語の一部をなす内パリティ（ＰＩ）８８を必ず１個含むことになる。換言すると、コンテンツのデータを分割して伝送パケット３４０に格納するときの単位を、ＥＣＣブロックを構成する誤り訂正符号語の単位とした、と言うこともできる。一般的には、情報記録装置３が伝送パケット３４０を受信したとき、伝送パケット３４０毎に誤りの検出や訂正が可能になる。ネットワークを介してデータ伝送を行なうとき、伝送誤りを訂正するための伝送路誤りの検出・訂正処理は、別途実施されている。しかし、実施の形態３においては、ここで伝送されるデータそのものに元から含まれている誤り訂正の機能を活用して、二重に伝送路誤りの検出・訂正処理を行なうことにより、さらに信頼性の高い伝送を実現できる。【０１３３】
図３１（ａ）乃至（ｃ）は、伝送パケット３４０の構成を示す図である。伝送パケット３４０は、コンテンツサーバ１がネットワーク２を経由してＤＶＤコンテンツをユーザの情報記録装置３に伝送するときに伝送データをトランスポートストリームとして扱う単位であり、１８８バイト長である。伝送パケット３４０には、ＥＣＣブロック１行分となる１８２バイトのデータのほか、６バイトのデータを含む。【０１３４】
この６バイトのデータには、無意のデータバイトをパディングしてもよいが、コンテンツのダウンロードに関する付加情報を格納してもよい。例えば、この６バイトのデータには、図２５に記載した制御バイト領域のデータを入れることができる。図３１（ａ）乃至（ｃ）中で符号「ａ，ｂ」で示した２バイトは、図２８及び図２９に詳細を説明した制御バイトａｎ（ｎ＝１，２，…，１３）とｂｍ（ｍ＝１，２，…，２０８）である。また、図３１（ａ）乃至（ｃ）中で符号「ｃ，ｄ，ｅ，ｆ」で示した４バイトは、例えば、
（１）ダウンロードするコンテンツの内容に関する情報、
（２）ダウンロードされる伝送パケット３４０の伝送順や伝送経路に関する情報、又は
（３）伝送中の著作権侵害対策として暗号化などの著作権保護対策をかけておいてその解読に必要な情報
を格納することに利用できる。【０１３５】
図３１（ａ）乃至（ｃ）は、伝送パケット３４０内の１８２バイトのデータと制御バイトのデータ「ａ，ｂ」及び「ｃ，ｄ，ｃ，ｆ」の配置の例を示す図である。情報記録装置３がこの伝送パケット３４０を受信した後、一次記録手段５や二次記録手段６にデータを記録するときに、既述のパケット３００に変換する処理を行ない易いように、制御バイトのデータの配置フォーマットを定めることが望ましい。図３１（ａ〉及び（ｃ）に示される構成は、データ「ａ、ｂ」が共に伝送パケット３４０の先頭にある構成であり、パケット３００と同じ構成であるので、判別しやすい。図３１（ｂ）及び（ｃ）は、制御バイトのデータ「ａ、ｂ」と１８２バイトのデータの間にパケット３００にない制御バイトのデータ「ｃ，ｄ，ｅ，ｆ」が含まれず、伝送パケット３４０の構成とパケット３００の構成が近い。また、上記の項目（３）の用途に使う場合、制御バイトのデータ「ｃ，ｄ，ｅ，ｆ」が伝送パケット３４０の先頭か末尾にある場合には、制御バイトのデータ「ａ，ｂ」と１８２バイトのデータが一体になっているため、一括処理し易くなる。【０１３６】
次に、ネットワーク２から来た伝送パケット３４０を情報記録装置３で記録するときのパケット３００の生成法を説明する。【０１３７】
第１の方法として、伝送パケット３４０から図３１（ａ）乃至（ｃ）に示した１８２バイトのデータ、又は、１８２バイトのデータと制御バイト「ａ，ｂ」を取り出して、１８８バイトのパケット３００に格納する。このとき、１８２バイトのデータに対して、図２４の中の矢印Ｃで示した処理を施し、２バイト分の同期バイト８６を２箇所に、計４バイト挿入する。１物理セクタ分に対応する１３個の伝送パケット３４０から、１８２バイトのデータ行を１３行分収集し、この同期バイト８６の挿入処理を行うと、図２４の中の矢印Ｄで示した処理を実施したことになり、１物理セクタ分に対応するパケット群２１４が生成される。実施の形態２の説明に記載したように、注意すべき点として、２バイト分の同期バイト８６は、データをディスクに記録するときの記録変調処理によって生成されるチャネルビットとしてのビットパターンで表現されるものであって、データバイトとして特定のピットパターンを有することはないという点がある。したがって、この第１の方法では、ディスクイメ一ジデータとして表すには、パケット中に同期バイト８６が入る特定バイト位置のデータに対してのみ、同期情報として認識するための特殊な規則が必要になる。【０１３８】
第２の方法として、１８２バイトのデータに対して同期バイト８６は挿入せず、そのまま、又は、制御バイト「ａ，ｂ」を付してパケット３００に格納する。余った４バイト分の領域には、無意のデータバイトをパディングしてもよいし、制御バイト「ｃ，ｄ，ｅ，ｆ」があればそれを格納してもよい。こうして１物理セクタ分に対応する１３個の伝送パケット３４０から、１物理セクタ分に対応するパケット群２１４が生成される。【０１３９】
以上に述べたように、コンテンツサーバ１上に置かれたプログラムストリーム方式でオーサリングされたＤＶＤコンテンツを、ネットワーク２へ送り出すときトランスポートストリームのパケットである伝送パケット３４０に格納する単位を、情報記録装置３で記録するときのパケット３００の構成に合わせるようにすることにより、コンテンツサーバ１上と情報記録装置３上のデータ処理を非常に簡略化することが可能になる。【０１４０】
また同じく、コンテンツサーバ１上に置かれたプログラムストリーム方式でオーサリングされたＤＶＤコンテンツを、ネットワーク２へ送り出すときトランスボートストリームのパケットである伝送パケット３４０に格納する単位を、誤り訂正ブロックを構成して誤り訂正符号化するときの誤り訂正符号語とすることにより、信頼性の高い伝送を実現することが可能になる。【０１４１】
上記した実施の形態１から３の説明では、ＤＶＤ用にオーサリングされたコンテンツをコンテンツサーバ１から情報記録装置３にダウンロード配信して記録する方法を説明したが、本発明の適用にあたり、光ディスクヘの記録はユーザ側で実施することに限らない。本発明は、コンテンツプロバイダ自身がＤＶＤ用にオーサリングされたコンテンツを記録型大容量光ディスク９０に記録した上で供給する態様にも適用可能である。【０１４２】
また、上記した実施の形態１から３の説明では、使用する記録型大容量光ディスクの種別は、光ディスク装置で記録する記録型ディスクの場合を説明したが、本発明の適用範囲は、記録型光ディスクに限らない。本発明は、例えば、コンテンツプロバイダ自身が大容量光ディスクに記録して供給する場合、本発明のフォーマットを再生専用型の大容量光ディスクに適用してディスクを製作し、供給することにも適用できる。現行ＤＶＤを複数枚使うよりも１枚の大容量光ディスクにまとめた方がディスクのコスト低減が可能になる。
【産業上の利用可能性】
【０１４３】
本発明に係る情報記録装置と情報記録方法、情報再生装置と再生方法、及び、情報記録媒体は、映像、音声等のデジタル化されたコンテンツを、コンテンツサーバからユーザの記録機器に配信して記録する記録装置と、記録媒体に記録する記録方法、並びに、こうして記録されたコンテンツを再生する再生装置と再生方法、及び、コンテンツを格納する記録媒体に適用される。また、本発明に係る情報伝送装置及び情報伝送方法は、映像、音声等のデジタル化されたコンテンツのコンテンツサーバからユーザの記録機器への伝送に適用される。
【図１】
2008126493.tif 000015
【図２】
2008126493.tif 000016
【図３】
2008126493.tif 000017
【図４】
2008126493.tif 000018
【図５】
2008126493.tif 000019
【図６】
2008126493.tif 000020
【図７】
2008126493.tif 000021
【図８】
2008126493.tif 000022
【図９】
2008126493.tif 000023
【図１０】
2008126493.tif 000024
【図１１】
2008126493.tif 000025
【図１２】
2008126493.tif 000026
【図１３】
2008126493.tif 000027
【図１４】
2008126493.tif 000028
【図１５】
2008126493.tif 000029
【図１６】
2008126493.tif 000030
【図１７】
2008126493.tif 000031
【図１８】
2008126493.tif 000032
【図１９】
2008126493.tif 000033
【図２０】
2008126493.tif 000034
【図２１】
2008126493.tif 000035
【図２２】
2008126493.tif 000036
【図２３】
2008126493.tif 000037
【図２４】
2008126493.tif 000038
【図２５】
2008126493.tif 000039
【図２６】
2008126493.tif 000040
【図２７】
2008126493.tif 000041
【図２８】
2008126493.tif 000042
【図２９】
2008126493.tif 000043
【図３０】
2008126493.tif 000044
【図３１】
2008126493.tif 000045
【手続補正書】
【提出日】平成21年8月14日(2009.8.14)
【手続補正１】
【補正対象書類名】特許請求の範囲
【補正対象項目名】全文
【補正方法】変更
【補正の内容】
【特許請求の範囲】
【請求項１】
ＤＶＤ規格に準拠した領域であるリードイン領域、リードアウト領域、及び、ファイルシステム領域とユーザファイル領域とからなるデータ領域を有するＤＶＤ用にオーサリングされたコンテンツのデータを受信して記録する情報記録装置であって、
受信されたＤＶＤ用にオーサリングされた前記コンテンツのデータを記録するハードディスクと、
前記ハードディスクに記録されたＤＶＤ用にオーサリングされた前記コンテンツのデータをＤＶＤ又はＤＶＤよりも記録容量の大きい大容量光ディスクに記録する光ディスク装置と、
前記情報記録装置全体の動作を制御する制御手段とを備え、
受信されるＤＶＤ用にオーサリングされた前記コンテンツのデータは、ＤＶＤのセクタ上でメインデータとして扱われるデータと前記セクタのヘッダ情報とを含むディスクイメージファイルであり、
前記制御手段は、
前記ディスクイメージファイルをトランスポートストリームのパケットに分割し、
分割された前記トランスポートストリームの各パケットに拡張パケットヘッダを付加して前記大容量光ディスクのデータの単位であるソースパケットとし、
前記ソースパケットを所定数集めて配列ユニットとし、
前記配列ユニットを所定数集めて前記大容量光ディスクの誤り訂正クラスタとし、
前記ＤＶＤの前記セクタを所定数まとめてセクタグループとして所定数の前記ソースパケットに対応付けて格納し、
前記セクタグループに対応する所定数の前記ソースパケットに制御パケットを付加して前記セクタグループと前記ソースパケットの変換単位とし、
前記変換単位を所定数集めて整数個の配列ユニットに対応付け、
前記制御パケットに、ＤＶＤのセクタグループの先頭セクタを格納する前記大容量光ディスクの誤り訂正クラスタのクラスタ番号を格納し、
ＤＶＤのファイルシステム領域の開始部を含むディスクイメージファイルでは、ファイルシステム領域の開始部が前記配列ユニットの先頭、かつ、前記誤り訂正クラスタの先頭に一致するようにソースパケットを対応付け、
前記変換単位の区切りと前記誤り訂正クラスタの区切りが一致する長さを単位としてディスクイメージファイルを記録し、又は、前記ディスクイメージファイルの末尾が、前記変換単位及び誤り訂正クラスタの一致した区切りで完結するよう必要に応じてデータをパディングする
ことを特徴とする情報記録装置。
【請求項２】
ＤＶＤの前記リードイン領域、前記ファイルシステム領域、前記ユーザファイル領域、及び前記リードアウト領域のそれぞれに記録されるべきデータは、個別のディスクイメージファイルとして、又は、所定のものをひとつにまとめたディスクイメージファイルとして記録することを特徴とする請求項１に記載の情報記録装置。
【請求項３】
ＤＶＤ用にオーサリングされたコンテンツのデータが、情報記録層として第１記録層と第２記録層とを有する２層ＤＶＤのデータである場合は、第２記録層のデータ領域の開始部が前記配列ユニットの先頭、かつ、前記誤り訂正クラスタの先頭に一致するようにソースパケットを対応付けることを特徴とする請求項１又は２に記載の情報記録装置。
【請求項４】
ＤＶＤ用にオーサリングされた前記コンテンツのディスクイメージファイルに、ＤＶＤ用の所定の著作権保護方式を適用したデータを含めることを特徴とする請求項１乃至３のいずれか１項に記載の情報記録装置。
【請求項５】
ＤＶＤ用にオーサリングされた前記コンテンツのディスクイメージファイルのデータに、大容量光ディスク用の所定の著作権保護方式を適用して保護する機能を持たせたことを特徴とする請求項１乃至３のいずれか１項に記載の情報記録装置。
【請求項６】
ＤＶＤ用にオーサリングされた前記コンテンツのディスクイメージファイルのデータのうちＤＶＤのリードイン領域に相当する部分のデータに対して、ユーザからのアクセスを無効にするための識別情報を前記制御パケットに記録することを特徴とする請求項１乃至３のいずれか１項に記載の情報記録装置。
【請求項７】
コンテンツサーバから、ＤＶＤ規格に準拠した領域であるリードイン領域、リードアウト領域、及び、ファイルシステム領域とユーザファイル領域とからなるデータ領域を有するＤＶＤ用にオーサリングされたコンテンツのデータを受信して記録する情報記録方法であって、
前記情報記録方法は、受信されたＤＶＤ用にオーサリングされた前記コンテンツのデータを記録するハードディスクと、前記ハードディスクに記録されたＤＶＤ用にオーサリングされた前記コンテンツのデータをＤＶＤ又はＤＶＤよりも記録容量の大きい大容量光ディスクに記録する光ディスク装置とを備えた情報記録装置を使用し、
前記コンテンツサーバが、ＤＶＤ用にオーサリングされた前記コンテンツのデータを、ＤＶＤのセクタ上でメインデータとして扱われるデータと前記セクタのヘッダ情報とを含むディスクイメージファイルとして送信するステップを有し、
前記ディスクイメージファイルをトランスポートストリームのパケットに分割するステップと、
分割された前記トランスポートストリームの各パケットに拡張パケットヘッダを付加して前記大容量光ディスクのデータの単位であるソースパケットとするステップと、
前記ソースパケットを所定数集めて配列ユニットとするステップと、
前記配列ユニットを所定数集めて前記大容量光ディスクの誤り訂正クラスタとするステップと、
前記ＤＶＤの前記セクタを所定数まとめてセクタグループとして所定数の前記ソースパケットに対応付けて格納するステップと、
前記セクタグループに対応する所定数の前記ソースパケットに制御パケットを付加して前記セクタグループと前記ソースパケットの変換単位とするステップと、
前記変換単位を所定数集めて整数個の配列ユニットに対応付けるステップと、
前記制御パケットに、ＤＶＤのセクタグループの先頭セクタを格納する前記大容量光ディスクの誤り訂正クラスタのクラスタ番号を格納するステップとを有し、
ＤＶＤのファイルシステム領域の開始部を含むディスクイメージファイルでは、ファイルシステム領域の開始部が前記配列ユニットの先頭、かつ、前記誤り訂正クラスタの先頭に一致するようにソースパケットを対応付け、
前記変換単位の区切りと前記誤り訂正クラスタの区切りが一致する長さを単位としてディスクイメージファイルを記録し、又は、前記ディスクイメージファイルの末尾が、前記変換単位及び誤り訂正クラスタの一致した区切りで完結するよう必要に応じてデータをパディングする
ことを特徴とする情報記録方法。
【請求項８】
ＤＶＤの前記リードイン領域、前記ファイルシステム領域、前記ユーザファイル領域、及び前記リードアウト領域のそれぞれに記録されるべきデータは、個別のディスクイメージファイルとして、又は、所定のものをひとつにまとめたディスクイメージファイルとして記録することを特徴とする請求項７に記載の情報記録方法。
【請求項９】
ＤＶＤ用にオーサリングされたコンテンツのデータが、情報記録層として第１記録層と第２記録層とを有する２層ＤＶＤのデータである場合は、第２記録層のデータ領域の開始部が前記配列ユニットの先頭、かつ、前記誤り訂正クラスタの先頭に一致するようにソースパケットを対応付けることを特徴とする請求項７又は８に記載の情報記録方法。
【請求項１０】
ＤＶＤ用にオーサリングされた前記コンテンツのディスクイメージファイルに、ＤＶＤ用の所定の著作権保護方式を適用したデータを含めることを特徴とする請求項７乃至９のいずれか１項に記載の情報記録方法。
【請求項１１】
ＤＶＤ用にオーサリングされた前記コンテンツのディスクイメージファイルのデータに、大容量光ディスク用の所定の著作権保護方式を適用して保護する機能を持たせたことを特徴とする請求項７乃至９のいずれか１項に記載の情報記録方法。
【請求項１２】
ＤＶＤ用にオーサリングされた前記コンテンツのディスクイメージファイルのデータのうちＤＶＤのリードイン領域に相当する部分のデータに対して、ユーザからのアクセスを無効にするための識別情報を前記制御パケットに記録することを特徴とする請求項７乃至９のいずれか１項に記載の情報記録方法。
【請求項１３】
請求項１乃至６に記載の情報記録装置及び請求項７乃至１２に記載の情報記録方法のいずれか一つを用いてＤＶＤ用にオーサリングされたコンテンツのデータを、ディスクイメージファイルとして記録されることを特徴とする情報記録媒体。
【請求項１４】
ＤＶＤ用にオーサリングされたコンテンツのディスクイメージファイルを記録した請求項１３に記載の情報記録媒体を再生する装置であって、
前記情報記録媒体からＤＶＤを再生時に、再生しているセクタグループの先頭セクタのセクタ番号を取得し、
前記先頭セクタを格納した前記大容量光ディスクの誤り訂正クラスタのクラスタ番号を前記セクタグループの制御パケットから取得し、
前記先頭セクタと次にアクセスするべきセクタのセクタ番号の差と、前記取得したクラスタ番号とにより、次にアクセスするべき誤り訂正クラスタのクラスタ番号を算出する
ことを特徴とする情報再生装置。
【請求項１５】
前記制御パケットを解析し、前記制御パケットの中に、前記ディスクイメージファイルの前記部分のセクタが、ＤＶＤのリードイン領域であることを示す識別情報を検出したとき、ユーザからの不正アクセスを無効にすることを特徴とする請求項１４に記載の情報再生装置。
【請求項１６】
ＤＶＤ用にオーサリングされたコンテンツのディスクイメージファイルを記録した請求項１３に記載の情報記録媒体を再生する方法であって、
ＤＶＤを再生時に、再生しているセクタグループの先頭セクタのセクタ番号を取得するステップと、
前記先頭セクタを格納した前記大容量光ディスクの誤り訂正クラスタのクラスタ番号を前記セクタグループの制御パケットから取得するステップと
を備え、
前記先頭セクタと次にアクセスするべきセクタのセクタ番号の差と、前記取得したクラスタ番号とにより、次にアクセスするべき誤り訂正クラスタのクラスタ番号を算出する
ことを特徴とする情報再生方法。
【請求項１７】
前記制御パケットを解析し、前記制御パケットの中に、前記ディスクイメージファイルの前記部分のセクタが、ＤＶＤのリードイン領域であることを示す識別情報を検出したとき、ユーザからの不正アクセスを無効にするステップをさらに備えたことを特徴とする請求項１６記載の情報再生方法。
【請求項１８】
映像信号を含むコンテンツデータを圧縮符号化してプログラムストリームに変換する手段と、
前記プログラムストリームを、記録媒体のセクタに格納する単位である一定長のパックに分割する手段と、
前記パックに分割されたデータを、所定数のセクタで誤り訂正ブロックを構成して誤り訂正符号化する手段と、
記録媒体上のトラックヘの記録順にしたがって配列した、前記誤り訂正符号化されたデータを、トランスポートストリームのパケットに格納する単位に区切る手段と、
パケット単位で前記トランスポートストリームを伝送する手段と
を有し、
前記誤り訂正符号化されたデータを、トランスポートストリームのパケットに格納する単位に区切る前記手段は、前記トランスポートストリームのパケットに格納する単位を、誤り訂正ブロックを構成して誤り訂正符号化するときの誤り訂正符号語とし、
伝送後に所定数の連続したパケットを変換単位として整数個の誤り訂正クラスタを構成するようにし、
該変換単位に制御パケットを含み、
所定数のセクタをまとめてセクタグループとし、
前記制御パケットに、該セクタグループの先頭セクタを格納する誤り訂正クラスタのクラスタ番号を格納する
ことを特徴とする情報伝送装置。
【請求項１９】
映像信号を含むコンテンツデータを圧縮符号化してプログラムストリームに変換する手段と、
前記プログラムストリームを、記録媒体のセクタに格納する単位である一定長のパックに分割する手段と、
前記パックに分割されたデータを、所定数のセクタで誤り訂正ブロックを構成して誤り訂正符号化する手段と、
記録媒体上のトラックヘの記録順にしたがって配列した、前記誤り訂正符号化されたデータを、トランスポートストリームのパケットに格納する単位に区切る手段と、
パケット単位で伝送される前記トランスポートストリームのデータを記録媒体に記録する手段と
を有し、
前記記録する手段は、所定数の連続した前記パケットを変換単位として整数個の誤り訂正クラスタを構成し、
前記変換単位に制御パケットを含み、
所定数のセクタをまとめてセクタグループとし、
前記制御パケットに、該セクタグループの先頭セクタを格納する誤り訂正クラスタのクラスタ番号を格納する
前記変換単位の区切りと前記誤り訂正クラスタの区切りが一致する長さを単位として前記トランスポートストリームのデータを記録し、又は、前記トランスポートストリームのデータの末尾が、前記変換単位及び前記誤り訂正クラスタの一致した区切りで完結するよう必要に応じてデータをパディングする
ことを特徴とする情報記録装置。
【請求項２０】
映像信号を含むコンテンツデータを圧縮符号化してプログラムストリームに変換するステップと、
前記プログラムストリームを、記録媒体のセクタに格納する単位である一定長のパックに分割するステップと、
前記パックに分割されたデータを、所定数のセクタで誤り訂正ブロックを構成して誤り訂正符号化するステップと、
記録媒体上のトラックヘの記録順にしたがって配列した、前記誤り訂正符号化されたデータを、トランスポートストリームのパケットに格納する単位に区切るステップと、
パケット単位で前記トランスポートストリームを伝送するステップと
を有し、
前記誤り訂正符号化されたデータを、トランスポートストリームのパケットに格納する単位に区切る前記ステップにおいて、前記トランスポートストリームの前記パケットに格納する単位を、誤り訂正ブロックを構成して誤り訂正符号化するときの誤り訂正符号語とし、
伝送後に所定数の連続したパケットを変換単位として整数個の誤り訂正クラスタを構成するようにし、
該変換単位に制御パケットを含み、
所定数のセクタをまとめてセクタグループとし、
前記制御パケットに、該セクタグループの先頭セクタを格納する誤り訂正クラスタのクラスタ番号を格納する
ことを特徴とする情報伝送方法。
【請求項２１】
映像信号を含むコンテンツデータを圧縮符号化してプログラムストリームに変換するステップと、
前記プログラムストリームを、記録媒体のセクタに格納する単位である一定長のパックに分割するステップと、
前記パックに分割されたデータを、所定数のセクタで誤り訂正ブロックを構成して誤り訂正符号化するステップと、
記録媒体上のトラックヘの記録順にしたがって配列した、前記誤り訂正符号化されたデータを、トランスポートストリームのパケットに格納する単位に区切るステップと、
パケット単位で前記トランスポートストリームを伝送されるデータを記録媒体に記録するステップと
を有し、
前記記録するステップにおいて、所定数の連続した前記パケットを変換単位として整数個の誤り訂正クラスタを構成し、
前記変換単位に制御パケットを含み、
所定数のセクタをまとめてセクタグループとし、
前記制御パケットに、該セクタグループの先頭セクタを格納する誤り訂正クラスタのクラスタ番号を格納する
前記変換単位の区切りと前記誤り訂正クラスタの区切りが一致する長さを単位として前記トランスポートストリームのデータを記録し、又は、前記トランスポートストリームのデータの末尾が、前記変換単位及び前記誤り訂正クラスタの一致した区切りで完結するよう必要に応じてデータをパディングする
ことを特徴とする情報記録方法。
【手続補正２】
【補正対象書類名】明細書
【補正対象項目名】００１１
【補正方法】変更
【補正の内容】
【００１１】
また、本発明の情報記録方法は、コンテンツサーバから、ＤＶＤ規格に準拠した領域であるリードイン領域、リードアウト領域、及び、ファイルシステム領域とユーザファイル領域とからなるデータ領域を有するＤＶＤ用にオーサリングされたコンテンツのデータを受信して記録する情報記録方法であって、前記情報記録方法は、受信されたＤＶＤ用にオーサリングされた前記コンテンツのデータを記録するハードディスクと、前記ハードディスクに記録されたＤＶＤ用にオーサリングされた前記コンテンツのデータをＤＶＤ又はＤＶＤよりも記録容量の大きい大容量光ディスクに記録する光ディスク装置とを備えた情報記録装置を使用し、前記コンテンツサーバが、ＤＶＤ用にオーサリングされた前記コンテンツのデータを、ＤＶＤのセクタ上でメインデータとして扱われるデータと前記セクタのヘッダ情報とを含むディスクイメージファイルとして送信するステップを有し、前記ディスクイメージファイルをトランスポートストリームのパケットに分割するステップと、分割された前記トランスポートストリームの各パケットに拡張パケットヘッダを付加して前記大容量光ディスクのデータの単位であるソースパケットとするステップと、前記ソースパケットを所定数集めて配列ユニットとするステップと、前記配列ユニットを所定数集めて前記大容量光ディスクの誤り訂正クラスタとするステップと、前記ＤＶＤの前記セクタを所定数まとめてセクタグループとして所定数の前記ソースパケットに対応付けて格納するステップと、前記セクタグループに対応する所定数の前記ソースパケットに制御パケットを付加して前記セクタグループと前記ソースパケットの変換単位とするステップと、前記変換単位を所定数集めて整数個の配列ユニットに対応付けるステップと、前記制御パケットに、ＤＶＤのセクタグループの先頭セクタを格納する前記大容量光ディスクの誤り訂正クラスタのクラスタ番号を格納するステップとを有し、ＤＶＤのファイルシステム領域の開始部を含むディスクイメージファイルでは、ファイルシステム領域の開始部が前記配列ユニットの先頭、かつ、前記誤り訂正クラスタの先頭に一致するようにソースパケットを対応付け、前記変換単位の区切りと前記誤り訂正クラスタの区切りが一致する長さを単位としてディスクイメージファイルを記録し、又は、前記ディスクイメージファイルの末尾が、前記変換単位及び誤り訂正クラスタの一致した区切りで完結するよう必要に応じてデータをパディングすることを特徴としている。
【手続補正３】
【補正対象書類名】明細書
【補正対象項目名】００５９
【補正方法】変更
【補正の内容】
【００５９】
図１０は、トランスポートストリームの各パケット３００にパケットの管理情報であるパケットヘッダを付加して構成されたソースパケット３１０の構造を示す図である。図１０に示されるように、パケットヘッダには、仮にパケットの順が入れ替わっても元通りに整列できるようにするための番号が含まれている。また、１８８バイトのパケットに４バイトのパケットヘッダを付けて１９２バイトにすることにより、ディスク上の記録単位である２０４８バイトのセクタより細かい単位でアライメントをとれるようになる。記録型大容量光ディスクのフォーマットにも適用されている。
【手続補正４】
【補正対象書類名】明細書
【補正対象項目名】０１０７
【補正方法】変更
【補正の内容】
【０１０７】
次に、図２４の矢印Ｂに沿い、同図の右側中央の破線部分（ＥＣＣブロック内でＰＯをインターリーブ）２１２に示されるように、合計で１６行生成された外パリティ（ＰＯ）８９を、１行ずつに分けて、各セクタ（すなわち、セクタ＃１〜＃１６）の行の後に移動し挿入するインターリーブ処理を行う。物理セクタに記録するデータは、各セクタ１８２バイト×１２行のセクタ８５及び内パリティ（ＰＩ）８８と、１８２バイト×１行の外パリティ（ＰＯ）８９の合計１８２バイト×１３行となる。各物理セクタ当たり、１２０バイトの内パリティ（ＰＩ）８８と、１８２バイトの外パリティ（ＰＯ）８９の合計３０２バイトが、図９に示される誤り訂正符号（ＥＣＣ）８７である。
【手続補正５】
【補正対象書類名】明細書
【補正対象項目名】０１１８
【補正方法】変更
【補正の内容】
【０１１８】
図２８及び図２９は、制御バイト領域３３０の構成を示す図である。制御バイト領域３３０に格納する情報は、図２３に示される各パラメータと同様である。ただし、図２３に示される各パラメータは、一つの制御パケット３０１にまとめられたものであるが、図２８及び図２９に示される制御バイト領域３３０は、各パケットに２バイトずつ分散しているバイトを、ＥＣＣブロック単位に集めたものである。また、パケットとセクタが１対１に対応している特徴を生かし、各パケットを格納しているセクタの属性をセクタ単位で示す情報を加えている。
【手続補正６】
【補正対象書類名】明細書
【補正対象項目名】０１２５
【補正方法】変更
【補正の内容】
【０１２５】
実施の形態３に係る情報伝送装置及び方法、並びに、情報記録装置及び方法を以下に詳細に説明する。オーサリングを終えたＤＶＤコンテンツは、映像データ、音声データ、サブ映像データが、それぞれデータの種類毎に別々のストリームとして構成された後、記録媒体に格納するための単位であるパックに分割される。例えば、映像データは、映像符号化する際に扱う単位であるＧＯＰ毎に映像符号化されるが、映像符号化データのストリームは、２０４８バイトの長さ毎に映像データパックに区分される。末尾のパックに端数が出た場合は、２０４８バイト長のパックが完結するように無意のデータビットを付け足している。同様に、音声データは、音声符号化する際に扱う単位である音声フレーム毎に音声符号化され、音声符号化データのストリームは、２０４８バイトの長さ毎に音声データパックに区分される。また同様に、字幕などのデータを表現するサブ映像データも、サブ映像符号化データのストリームを２０４８バイトの長さ毎にサブ映像データパックに区分される。
【手続補正７】
【補正対象書類名】明細書
【補正対象項目名】０１２９
【補正方法】変更
【補正の内容】
【０１２９】
また、一般に、ネットワークを経由してデータを伝送するときのデータ長の最小単位は、１８８バイトからなる伝送パケット３４０であることが多い。そこで、実施の形態３では、コンテンツサーバ１がＤＶＤコンテンツを配信するときのストリームの処理を以下のように構成することによって、コンテンツの配信・記録システム全体として効率的な処理を実現する。実施の形態３の要点は、コンテンツサーバ１が、プログラムストリーム方式でオーサリングされたＤＶＤコンテンツを、情報記録装置３で記録するためにネットワーク２へ送り出すときに、予めその伝送パケット３４０の構成を、ＨＤＤ５０や記録型大容量光ディスク９０に記録するときのパケット３００の構成に合わせるようにすること、並びに、その伝送パケット３４０とパケット３００の構成を、ＤＶＤの誤り訂正符号の処理単位と関連付けるようにすることである。
【手続補正８】
【補正対象書類名】明細書
【補正対象項目名】０１３５
【補正方法】変更
【補正の内容】
【０１３５】
図３１（ａ）乃至（ｃ）は、伝送パケット３４０内の１８２バイトのデータと制御バイトのデータ「ａ，ｂ」及び「ｃ，ｄ，ｅ，ｆ」の配置の例を示す図である。情報記録装置３がこの伝送パケット３４０を受信した後、一次記録手段５や二次記録手段６にデータを記録するときに、既述のパケット３００に変換する処理を行ない易いように、制御バイトのデータの配置フォーマットを定めることが望ましい。図３１（ａ〉及び（ｃ）に示される構成は、データ「ａ、ｂ」が共に伝送パケット３４０の先頭にある構成であり、パケット３００と同じ構成であるので、判別しやすい。図３１（ｂ）及び（ｃ）は、制御バイトのデータ「ａ、ｂ」と１８２バイトのデータの間にパケット３００にない制御バイトのデータ「ｃ，ｄ，ｅ，ｆ」が含まれず、伝送パケット３４０の構成とパケット３００の構成が近い。また、上記の項目（３）の用途に使う場合、制御バイトのデータ「ｃ，ｄ，ｅ，ｆ」が伝送パケット３４０の先頭か末尾にある場合には、制御バイトのデータ「ａ，ｂ」と１８２バイトのデータが一体になっているため、一括処理し易くなる。
【手続補正９】
【補正対象書類名】明細書
【補正対象項目名】０１３７
【補正方法】変更
【補正の内容】
【０１３７】
第１の方法として、伝送パケット３４０から図３１（ａ）乃至（ｃ）に示した１８２バイトのデータ、又は、１８２バイトのデータと制御バイト「ａ，ｂ」を取り出して、１８８バイトのパケット３００に格納する。このとき、１８２バイトのデータに対して、図２４の中の矢印Ｃで示した処理を施し、２バイト分の同期バイト８６を２箇所に、計４バイト挿入する。１物理セクタ分に対応する１３個の伝送パケット３４０から、１８２バイトのデータ行を１３行分収集し、この同期バイト８６の挿入処理を行うと、図２４の中の矢印Ｄで示した処理を実施したことになり、１物理セクタ分に対応するパケット群２１４が生成される。実施の形態２の説明に記載したように、注意すべき点として、２バイト分の同期バイト８６は、データをディスクに記録するときの記録変調処理によって生成されるチャネルビットとしてのビットパターンで表現されるものであって、データバイトとして特定のビットパターンを有することはないという点がある。したがって、この第１の方法では、ディスクイメ一ジデータとして表すには、パケット中に同期バイト８６が入る特定バイト位置のデータに対してのみ、同期情報として認識するための特殊な規則が必要になる。
【国際調査報告】
2008126493.tif 000046
2008126493.tif 000047
2008126493.tif 000048
2008126493.tif 000049